(57)【要約】本発明の一実施例による無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、単一のニューマロロジー(ｎｕｍｅｒｏｌｏｇｙ)で設定された周波数帯域を占める部分帯域に対するＣＳＩ−ＲＳ設定を受信するステップと、ＣＳＩ−ＲＳ設定に複数の部分帯域に対するＣＳＩ−ＲＳ設定が含まれる場合、複数の部分帯域のそれぞれは、互いに異なるニューマロロジーで設定され、部分帯域に対するＣＳＩ−ＲＳ設定に従って、部分帯域で送信されるＣＳＩ−ＲＳから導出されたＣＳＩ情報を送信するステップを含んでもよい。【選択図】図２３
2019532544.tif 000002
【特許請求の範囲】
【請求項１】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、
単一ニューマロロジー(ｎｕｍｅｒｏｌｏｇｙ)で設定された周波数帯域を占める部分帯域に対するＣＳＩ−ＲＳ設定を受信するステップであって、前記ＣＳＩ−ＲＳ設定に複数の部分帯域に対するＣＳＩ−ＲＳ設定が含まれる場合、前記複数の部分帯域のそれぞれは互いに異なるニューマロロジーで設定されるステップと、
前記部分帯域に対するＣＳＩ−ＲＳ設定に従って、前記部分帯域で送信されるＣＳＩ−ＲＳから導出されたＣＳＩ情報を送信するステップを含むことを特徴とするチャンネル状態報告方法。
【請求項２】
前記部分帯域に対するＣＳＩ−ＲＳ設定は、帯域幅情報又は周波数位置に関する情報を含むことを特徴とする、請求項１に記載のチャンネル状態報告方法。
【請求項３】
前記複数の部分帯域のそれぞれは、１つの送信ブロック(ｔｒａｎｓｐｏｒｔ ｂｌｏｃｋ)が送信される周波数帯域であることを特徴とする、請求項１に記載のチャンネル状態報告方法。
【請求項４】
前記ＣＳＩ−ＲＳ設定に複数の部分帯域に対するＣＳＩ−ＲＳ設定が含まれる場合、前記複数の部分帯域のうち少なくとも一部は互いに重なることを特徴とする、請求項１に記載のチャンネル状態報告方法。
【請求項５】
前記複数の部分帯域のうち少なくとも一部は、互いに時間分割多重化(ｔｉｍｅ ｄｉｖｉｓｉｏｎ ｍｕｐｌｔｉｐｌｅｘｉｎｇ)されることを特徴とする、請求項４に記載のチャンネル状態報告方法。
【請求項６】
前記送信されるＣＳＩ情報は、前記複数の部分帯域のそれぞれにおいて独立して導出されたＣＳＩを含むことを特徴とする、請求項１に記載のチャンネル状態報告方法。
【請求項７】
前記部分帯域に対するＣＳＩ−ＲＳ設定は、上位層シグナリングを介して受信されることを特徴とする、請求項１に記載のチャンネル状態報告方法。
【請求項８】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告を行う端末であって、
送信機と、受信機と、
前記送信機及び受信機を制御するように構成されたプロセッサーを含み、
前記プロセッサーは、
単一ニューマロロジー(ｎｕｍｅｒｏｌｏｇｙ)で設定された周波数帯域を占める部分帯域に対するＣＳＩ−ＲＳ設定を受信して、前記ＣＳＩ−ＲＳ設定に複数の部分帯域に対するＣＳＩ−ＲＳ設定が含まれる場合、前記複数の部分帯域のそれぞれは互いに異なるニューマロロジーで設定され、
前記部分帯域に対するＣＳＩ−ＲＳ設定に従って、前記部分帯域で送信されるＣＳＩ−ＲＳから導出されたＣＳＩ情報を送信するように構成されることを特徴とする、端末。
【請求項９】
前記部分帯域に対するＣＳＩ−ＲＳ設定は、帯域幅情報又は周波数位置に関する情報を含むことを特徴とする、請求項８に記載の端末。
【請求項１０】
前記複数の部分帯域のそれぞれは、１つの送信ブロック(ｔｒａｎｓｐｏｒｔ ｂｌｏｃｋ)が送信される周波数帯域であることを特徴とする、請求項８に記載の端末。
【請求項１１】
前記ＣＳＩ−ＲＳ設定に複数の部分帯域に対するＣＳＩ−ＲＳ設定が含まれる場合、前記複数の部分帯域のうち少なくとも一部は互いに重なることを特徴とする、請求項８に記載の端末。
【請求項１２】
前記複数の部分帯域のうち少なくとも一部は、互いに時間分割多重化(ｔｉｍｅ ｄｉｖｉｓｉｏｎ ｍｕｐｌｔｉｐｌｅｘｉｎｇ)されることを特徴とする、請求項１１に記載の端末。
【請求項１３】
前記送信されるＣＳＩ情報は、前記複数の部分帯域のそれぞれにおいて独立して導出されたＣＳＩを含むことを特徴とする、請求項８に記載の端末。
【請求項１４】
前記部分帯域に対するＣＳＩ−ＲＳ設定は、上位層シグナリングを介して受信されることを特徴とする、請求項８に記載の端末。
【発明の詳細な説明】
【技術分野】
【０００１】
本発明は、無線通信システムに関し、詳細には、チャンネル状態報告のための方法及びその装置に関する。
【背景技術】
【０００２】
より多くの通信機器が、より大きい通信容量を求めるにつれて、従来の無線接続技術(ｒａｄｉｏ ａｃｃｅｓｓ ｔｅｃｈｎｏｌｏｇｙ；ＲＡＴ)に比べて向上したモバイル広帯域通信の必要性が台頭している。また、複数の機器及びモノを連結して、いつでもどこでも様々なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)も次世代通信において考慮する重要イシュの１つである。のみならず、信頼度(ｒｅｌｉａｂｉｌｉｔｙ)及びレイテンシ(ｌａｔｅｎｃｙ)に敏感なサービスを考慮した通信システムデザインが論議されている。このように、ｅＭＢＢ(ｅｎｈａｎｃｅｄ ｍｏｂｉｌｅ ｂｒｏａｄｂａｎｄ ｃｏｍｍｕｎｉｃａｔｉｏｎ)、大規模ＭＴＣ(ｍａｓｓｉｖｅ ＭＴＣ；ｍＭＴＣ)、ＵＲＬＬＣ(ｕｌｔｒａ−ｒｅｌｉａｂｌｅ ａｎｄ ｌｏｗ ｌａｔｅｎｃｙ ｃｏｍｍｕｎｉｃａｔｉｏｎ)などを考慮した次世代ＲＡＴの導入が論議されており、本発明では、便宜のために、当該技術を新ラット(Ｎｅｗ ＲＡＴ)と称する。
【発明の概要】
【発明が解決しようとする課題】
【０００３】
本発明は、チャンネル状態報告のための方法を提案しようとする。詳しくは、ＣＳＩ−ＲＳベースのチャンネル状態報告のための方法を提案しようとする。
【０００４】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００５】
本発明の一実施例による無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法であって、単一ニューマロロジー(ｎｕｍｅｒｏｌｏｇｙ)で設定された周波数帯域を占める部分帯域に対するＣＳＩ−ＲＳ設定を受信するステップと、ＣＳＩ−ＲＳ設定に複数の部分帯域に対するＣＳＩ−ＲＳ設定が含まれる場合、複数の部分帯域のそれぞれは互いに異なるニューマロロジーで設定され、部分帯域に対するＣＳＩ−ＲＳ設定に従って、部分帯域で送信されるＣＳＩ−ＲＳから導出されたＣＳＩ情報を送信するステップを含んでもよい。
【０００６】
追加又は代案として、部分帯域に対するＣＳＩ−ＲＳ設定は、帯域幅情報又は周波数位置に関する情報を含んでもよい。
【０００７】
追加又は代案として、複数の部分帯域のそれぞれは、１つの送信ブロック(ｔｒａｎｓｐｏｒｔ ｂｌｏｃｋ)が送信される周波数帯域であってもよい。
【０００８】
追加又は代案として、ＣＳＩ−ＲＳ設定に複数の部分帯域に対するＣＳＩ−ＲＳ設定が含まれる場合、複数の部分帯域のうち少なくとも一部は互いに重なってもよい。
【０００９】
追加又は代案として、複数の部分帯域のうち少なくとも一部は、互いに時間分割多重化(ｔｉｍｅ ｄｉｖｉｓｉｏｎ ｍｕｐｌｔｉｐｌｅｘｉｎｇ)されてもよい。
【００１０】
追加又は代案として、送信されるＣＳＩ情報は、複数の部分帯域のそれぞれにおいて独立して導出されたＣＳＩを含んでもよい。
【００１１】
追加又は代案として、部分帯域に対するＣＳＩ−ＲＳ設定は、上位層シグナリングを介して受信されてもよい。
【００１２】
本発明の別の一実施例による無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告を行う端末であって、送信機と、受信機と、送信機及び受信機を制御するように構成されたプロセッサーを含み、プロセッサーは単一ニューマロロジー(ｎｕｍｅｒｏｌｏｇｙ)で設定された周波数帯域を占める部分帯域に対するＣＳＩ−ＲＳ設定を受信して、ＣＳＩ−ＲＳ設定に複数の部分帯域に対するＣＳＩ−ＲＳ設定が含まれる場合、複数の部分帯域のそれぞれは互いに異なるニューマロロジーで設定され、部分帯域に対するＣＳＩ−ＲＳ設定に従って、部分帯域で送信されるＣＳＩ−ＲＳから導出されたＣＳＩ情報を送信するように構成されてもよい。
【００１３】
追加又は代案として、部分帯域に対するＣＳＩ−ＲＳ設定は、帯域幅情報又は周波数位置に関する情報を含んでもよい。
【００１４】
追加又は代案として、複数の部分帯域のそれぞれは、１つの送信ブロック(ｔｒａｎｓｐｏｒｔ ｂｌｏｃｋ)が送信される周波数帯域であってもよい。
【００１５】
追加又は代案として、ＣＳＩ−ＲＳ設定に複数の部分帯域に対するＣＳＩ−ＲＳ設定が含まれる場合、複数の部分帯域のうち少なくとも一部は互いに重なってもよい。
【００１６】
追加又は代案として、複数の部分帯域のうち少なくとも一部は、互いに時間分割多重化(ｔｉｍｅ ｄｉｖｉｓｉｏｎ ｍｕｐｌｔｉｐｌｅｘｉｎｇ)されてもよい。
【００１７】
追加又は代案として、送信されるＣＳＩ情報は、複数の部分帯域のそれぞれにおいて独立して導出されたＣＳＩを含んでもよい。
【００１８】
追加又は代案として、部分帯域に対するＣＳＩ−ＲＳ設定は、上位層シグナリングを介して受信されてもよい。
【００１９】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され理解され得るだろう。
【発明の効果】
【００２０】
本発明の実施例によれば、チャンネル状態報告を効率的に処理することができる。
【００２１】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２２】
以下に添付する図面は、本発明に関する理解を助けるために詳細な説明の一部として含まれるものであり、本発明に関する実施例を提供し、詳細な説明と共に本発明の技術的思想を説明する。
【図１】無線通信システムにおいて用いられる無線フレーム構造の一例を示す図である。
【図２】無線通信システムにおいて、下りリンク／上りリンク(ＤＬ／ＵＬ)スロット構造の一例を示す図である。
【図３】３ＧＰＰ ＬＴＥ／ＬＴＥ−Ａシステムにおいて用いられる下りリンク(ｄｏｗｎｌｉｎｋ，ＤＬ)サブフレームの構造を例示する図である。
【図４】３ＧＰＰ ＬＴＥ／ＬＴＥ−Ａシステムにおいて用いられる上りリンク(ｕｐｌｉｎｋ，ＵＬ)サブフレームの構造を例示する図である。
【図５】システム帯域幅、部分帯域(ｐａｒｔｉａｌ ｂａｎｄ)、副帯域(ｓｕｂｂａｎｄ)の関係を示す図である。
【図６】ＣＳＩステージトリガと非周期的ＣＳＩ−ＲＳ送信との間隔を示す図である。
【図７】ＣＳＩステージトリガと非周期的ＣＳＩ−ＲＳ送信との間隔を示す図である。
【図８】ＣＳＩステージトリガと非周期的ＣＳＩ−ＲＳ送信との間隔を示す図である。
【図９】ＣＳＩステージトリガと非周期的ＣＳＩ−ＲＳ送信との間隔を示す図である。
【図１０】ＣＳＩステージトリガと非周期的ＣＳＩ−ＲＳ送信との間隔を示す図である。
【図１１】ＣＳＩステージトリガと非周期的ＣＳＩ−ＲＳ送信との間隔を示す図である。
【図１２】ＣＳＩステージトリガと非周期的ＣＳＩ−ＲＳ送信との間隔を示す図である。
【図１３】ＣＳＩステージトリガと非周期的ＣＳＩ−ＲＳ送信との間隔を示す図である。
【図１４】ＣＳＩステージトリガとＣＳＩフィードバックとの間隔を示す図である。
【図１５】ＣＳＩステージトリガとＣＳＩフィードバックとの間隔を示す図である。
【図１６】ＣＳＩステージトリガとＣＳＩフィードバックとの間隔を示す図である。
【図１７】ＣＳＩステージトリガとＣＳＩフィードバックとの間隔を示す図である。
【図１８】ＣＳＩステージトリガとＣＳＩフィードバックとの間隔を示す図である。
【図１９】ＣＳＩステージトリガと非周期的ＣＳＩ−ＲＳ送信とＣＳＩフィードバックとの間隔を示す図である。
【図２０】ＣＳＩステージトリガと非周期的ＣＳＩ−ＲＳ送信とＣＳＩフィードバックとの間隔を示す図である。
【図２１】ＣＳＩステージトリガと非周期的ＣＳＩ−ＲＳ送信とＣＳＩフィードバックとの間隔を示す図である。
【図２２】本発明の一実施例による端末の動作を示す図である。
【図２３】本発明の実施例を具現するための装置のブロック図である。
【発明を実施するための形態】
【００２３】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２４】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２５】
本発明において、ユーザ機器(ｕｓｅｒ  ｅｑｕｉｐｍｅｎｔ，ＵＥ)は、固定していても、移動性を有していてもよいもので、基地局(ｂａｓｅ  ｓｔａｔｉｏｎ，ＢＳ)と通信してユーザデータ及び／又は各種制御情報を送受信する各種機器を含む。ＵＥを、端末(Ｔｅｒｍｉｎａｌ  Ｅｑｕｉｐｍｅｎｔ)、ＭＳ(Ｍｏｂｉｌｅ  Ｓｔａｔｉｏｎ)、ＭＴ(Ｍｏｂｉｌｅ  Ｔｅｒｍｉｎａｌ)、ＵＴ(Ｕｓｅｒ  Ｔｅｒｍｉｎａｌ)、ＳＳ(Ｓｕｂｓｃｒｉｂｅ  Ｓｔａｔｉｏｎ)、無線機器(ｗｉｒｅｌｅｓｓ  ｄｅｖｉｃｅ)、ＰＤＡ(Ｐｅｒｓｏｎａｌ  Ｄｉｇｉｔａｌ  Ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)などと呼ぶこともできる。また、本発明において、ＢＳは一般に、ＵＥ及び／又は他のＢＳと通信する固定局(ｆｉｘｅｄ  ｓｔａｔｉｏｎ)を意味し、ＵＥ及び他のＢＳと通信して各種データ及び制御情報を交換する。ＢＳを、ＡＢＳ(Ａｄｖａｎｃｅｄ  Ｂａｓｅ  Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、ＰＳ(Ｐｒｏｃｅｓｓｉｎｇ  Ｓｅｒｖｅｒ)、送信ポイント(ｔｒａｎｓｍｉｓｓｉｏｎ  ｐｏｉｎｔ；ＴＰ)などと呼ぶこともできる。以下の本発明に関する説明では、ＢＳをｅＮＢと総称する。
【００２６】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ  ｒｅｍｏｔｅ  ｈｅａｄ，ＲＲＨ)、無線リモートユニット(ｒａｄｉｏ  ｒｅｍｏｔｅ  ｕｎｉｔ，ＲＲＵ)であってもよい。ＲＲＨ、ＲＲＵなどは一般にｅＮＢの電力レベル(ｐｏｗｅｒ  ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ  ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ  ａｎｔｅｎｎａ  ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ  ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２７】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ  ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２８】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ  Ｍｕｌｔｉ−Ｐｏｉｎｔ  ＴＸ／ＲＸ)という。このようなノード間協調通信のうち、協調送信技法は、ＪＰ(ｊｏｉｎｔ  ｐｒｏｃｅｓｓｉｎｇ)とスケジューリング協調(ｓｃｈｅｄｕｌｉｎｇ  ｃｏｏｒｄｉｎａｔｉｏｎ)とに区別できる。前者はＪＴ(ｊｏｉｎｔ  ｔｒａｎｓｍｉｓｓｉｏｎ)／ＪＲ(ｊｏｉｎｔ  ｒｅｃｅｐｔｉｏｎ)とＤＰＳ(ｄｙｎａｍｉｃ  ｐｏｉｎｔ  ｓｅｌｅｃｔｉｏｎ)とに区別し、後者はＣＳ(ｃｏｏｒｄｉｎａｔｅｄ  ｓｃｈｅｄｕｌｉｎｇ)とＣＢ(ｃｏｏｒｄｉｎａｔｅｄ  ｂｅａｍｆｏｒｍｉｎｇ)とに区別できる。ＤＰＳは、ＤＣＳ(ｄｙｎａｍｉｃ  ｃｅｌｌ  ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャンネル状態の良いノードが通信ノードとして選択されるはずであるため、信号送信の信頼度を向上させることができる。
【００２９】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ  ｃｅｌｌ)という。また、特定セルのチャンネル状態／品質は、該特定セルに通信サービスを提供するｅＮＢ或いはノードとＵＥ間に形成されたチャンネル或いは通信リンクのチャンネル状態／品質を意味する。３ＧＰＰ ＬＥＴ−Ａベースのシステムにおいて、ＵＥは、特定ノードからの下りリンクチャンネル状態を、前記特定ノードのアンテナポートが前記特定ノードに割り当てられたチャンネルＣＳＩ−ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ  ｃｏｎｆｉｇｕｒａｔｉｏｎ)、サブフレームオフセット(ｏｆｆｓｅｔ)及び送信周期(ｔｒａｎｓｍｉｓｓｉｏｎ  ｐｅｒｉｏｄ)などによってＣＳＩ−ＲＳが割り当てられたサブフレームを特定するサブフレーム構成(ｓｕｂｆｒａｍｅ  ｃｏｎｆｉｇｕｒａｔｉｏｎ)、ＣＳＩ−ＲＳシーケンスのうちの少なくとも１つが互いに異なることを意味する。
【００３０】
本発明において、ＰＤＣＣＨ(Ｐｈｙｓｉｃａｌ  Ｄｏｗｎｌｉｎｋ  Ｃｏｎｔｒｏｌ  ＣＨａｎｎｅｌ)／ＰＣＦＩＣＨ(Ｐｈｙｓｉｃａｌ  Ｃｏｎｔｒｏｌ  Ｆｏｒｍａｔ  Ｉｎｄｉｃａｔｏｒ  ＣＨａｎｎｅｌ)／ＰＨＩＣＨ(Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ)／ＰＤＳＣＨ(Ｐｈｙｓｉｃａｌ  Ｄｏｗｎｌｉｎｋ  Ｓｈａｒｅｄ  ＣＨａｎｎｅｌ)はそれぞれ、ＤＣＩ(Ｄｏｗｎｌｉｎｋ  Ｃｏｎｔｒｏｌ  Ｉｎｆｏｒｍａｔｉｏｎ)／ＣＦＩ(Ｃｏｎｔｒｏｌ  Ｆｏｒｍａｔ  Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ  ＡＣＫ)／下りリンクデータを運ぶ時間−周波数リソースの集合或いはリソース要素の集合を意味する。また、ＰＵＣＣＨ(Ｐｈｙｓｉｃａｌ  Ｕｐｌｉｎｋ  Ｃｏｎｔｒｏｌ  ＣＨａｎｎｅｌ)／ＰＵＳＣＨ(Ｐｈｙｓｉｃａｌ  Ｕｐｌｉｎｋ  Ｓｈａｒｅｄ  ＣＨａｎｎｅｌ)／ＰＲＡＣＨ(Ｐｈｙｓｉｃａｌ  Ｒａｎｄｏｍ  Ａｃｃｅｓｓ  ＣＨａｎｎｅｌ)はそれぞれ、ＵＣＩ(Ｕｐｌｉｎｋ  Ｃｏｎｔｒｏｌ  Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ  Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３１】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ  ｄｉｖｉｓｉｏｎ  ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ  ｄｉｖｉｓｉｏｎ  ｄｕｐｌｅｘ，ＴＤＤ)用フレーム構造を示している。
【００３２】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。1無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。1無線フレームにおいて２０個のスロットには０から１９までの番号を順次与えることができる。それぞれのスロットは０．５ｍｓの長さを有する。１サブフレームを送信するための時間は、送信時間間隔(ｔｒａｎｓｍｉｓｓｉｏｎ  ｔｉｍｅ  ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３３】
無線フレームは、デュプレックス(ｄｕｐｌｅｘ)技法によって別々に構成(ｃｏｎｆｉｇｕｒｅ)することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３４】
表１は、ＴＤＤで、無線フレームにおけるサブフレームのＤＬ−ＵＬ構成(ｃｏｎｆｉｇｕｒａｔｉｏｎ)を例示するものである。
【００３５】
【表１】
2019532544.tif 000003
【００３６】
表１で、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ  Ｐｉｌｏｔ  ＴｉｍｅＳｌｏｔ)、ＧＰ(Ｇｕａｒｄ  Ｐｅｒｉｏｄ)、ＵｐＰＴＳ(Ｕｐｌｉｎｋ  Ｐｉｌｏｔ  ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は、特異サブフレーム構成(ｃｏｎｆｉｇｕｒａｔｉｏｎ)を例示するものである。
【００３７】
【表２】
2019532544.tif 000004
【００３８】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ  ｇｒｉｄ)の構造を示す。アンテナポート当たりに１個のリソース格子がある。
【００３９】
図２を参照すると、スロットは、時間ドメインで複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルを含み、周波数ドメインで複数のリソースブロック(ｒｅｓｏｕｒｃｅ  ｂｌｏｃｋ，ＲＢ)を含む。ＯＦＤＭシンボルは、１シンボル区間を意味することもある。図２を参照すると、各スロットで送信される信号は、
2019532544.tif 000005
個の副搬送波(ｓｕｂｃａｒｒｉｅｒ)と
2019532544.tif 000006
個のＯＦＤＭシンボルとで構成されるリソース格子(ｒｅｓｏｕｒｃｅ  ｇｒｉｄ)と表現することができる。ここで、
2019532544.tif 000007
は、下りリンクスロットにおけるリソースブロック(ｒｅｓｏｕｒｃｅ  ｂｌｏｃｋ，ＲＢ)の個数を表し、
2019532544.tif 000008
は、ＵＬスロットにおけるＲＢの個数を表す。
2019532544.tif 000009
と
2019532544.tif 000010
は、ＤＬ送信帯域幅とＵＬ送信帯域幅にそれぞれ依存する。
2019532544.tif 000011
は、下りリンクスロットにおけるＯＦＤＭシンボルの個数を表し、
2019532544.tif 000012
は、ＵＬスロットにおけるＯＦＤＭシンボルの個数を表す。
2019532544.tif 000013
は、１つのＲＢを構成する副搬送波の個数を表す。
【００４０】
ＯＦＤＭシンボルは、多重接続方式によって、ＯＦＤＭシンボル、ＳＣ−ＦＤＭ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ)シンボルなどと呼ぶことができる。１つのスロットに含まれるＯＦＤＭシンボルの数は、チャンネル帯域幅、ＣＰ(ｃｙｃｌｉｃ  ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2019532544.tif 000014
個の副搬送波を含む。副搬送波の類型は、データ送信のためのデータ副搬送波、参照信号(ｒｅｆｅｒｅｎｃｅ  ｓｉｇｎａｌ)の送信のための参照信号副搬送波、ガードバンド(ｇｕａｒｄ  ｂａｎｄ)及び直流(Ｄｉｒｅｃｔ  Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ  ｆｒｅｑｕｅｎｃｙ，ｆ０)にマッピング(ｍａｐｐｉｎｇ)される。搬送波周波数は中心周波数(ｃｅｎｔｅｒ  ｆｒｅｑｕｅｎｃｙ)と呼ばれることもある。
【００４１】
１ ＲＢは、時間ドメインで
2019532544.tif 000015
個(例えば、７個)の連続するＯＦＤＭシンボルと定義され、周波数ドメインで
2019532544.tif 000016
個(例えば、１２個)の連続する副搬送波と定義される。参考として、１つのＯＦＤＭシンボルと１つの副搬送波で構成されたリソースをリソース要素(ｒｅｓｏｕｒｃｅ  ｅｌｅｍｅｎｔ，ＲＥ)或いはトーン(ｔｏｎｅ)という。したがって、１つのＲＢは、
2019532544.tif 000017
個のリソース要素で構成される。リソース格子における各リソース要素は、１つのスロットにおけるインデックス対(ｋ，１)によって固有に定義できる。ｋは、周波数ドメインで０から
2019532544.tif 000018
まで与えられるインデックスであり、ｌは、時間ドメインで０から
2019532544.tif 000019
まで与えられるインデックスである。
【００４２】
１サブフレームにおいて
2019532544.tif 000020
個の連続した同一副搬送波を占有しながら、当該サブフレームにおける２個のスロットのそれぞれに１個ずつ位置する２個のＲＢを物理リソースブロック(ｐｈｙｓｉｃａｌ  ｒｅｓｏｕｒｃｅ  ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
2019532544.tif 000021
順に番号が与えられ、
2019532544.tif 000022
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４３】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４４】
図３を参照すると、ＤＬサブフレームは、時間ドメインで制御領域(ｃｏｎｔｒｏｌ  ｒｅｇｉｏｎ)とデータ領域(ｄａｔａ  ｒｅｇｉｏｎ)とに区別される。図３を参照すると、サブフレームの第１のスロットで先頭部における最大３(或いは４)個のＯＦＤＭシンボルは、制御チャンネルが割り当てられる制御領域(ｃｏｎｔｒｏｌ  ｒｅｇｉｏｎ)に対応する。以下、ＤＬサブフレームでＰＤＣＣＨ送信に利用可能なリソース領域(ｒｅｓｏｕｒｃｅ  ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ  ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャンネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャンネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ  Ａｕｔｏｍａｔｉｃ  Ｒｅｐｅａｔ  Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４５】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャンネル(ｄｏｗｎｌｉｎｋ  ｓｈａｒｅｄ  ｃｈａｎｎｅｌ，ＤＬ−ＳＣＨ)の送信フォーマット及びリソース割り当て情報、ＵＬ共有チャンネル(ｕｐｌｉｎｋ  ｓｈａｒｅｄ  ｃｈａｎｎｅｌ，ＵＬ−ＳＣＨ)の送信フォーマット及びリソース割り当て情報、ページングチャンネル(ｐａｇｉｎｇ  ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ  ｌａｙｅｒ)制御メッセージのリソース割り当て情報、ＵＥグループ内の個別ＵＥへの送信電力制御命令(Ｔｒａｎｓｍｉｔ  Ｃｏｎｔｒｏｌ  Ｃｏｍｍａｎｄ  Ｓｅｔ)、送信電力制御(Ｔｒａｎｓｍｉｔ  Ｐｏｗｅｒ  Ｃｏｎｔｒｏｌ)命令、ＶｏＩＰ(Ｖｏｉｃｅ  ｏｖｅｒ  ＩＰ)の活性化(ａｃｔｉｖａｔｉｏｎ)指示情報、ＤＡＩ(Ｄｏｗｎｌｉｎｋ  Ａｓｓｉｇｎｍｅｎｔ  Ｉｎｄｅｘ)などを含む。ＤＬ共有チャンネル(ｄｏｗｎｌｉｎｋ  ｓｈａｒｅｄ  ｃｈａｎｎｅｌ，ＤＬ−ＳＣＨ)の送信フォーマット(Ｔｒａｎｓｍｉｔ  Ｆｏｒｍａｔ)及びリソース割り当て情報は、ＤＬスケジューリング情報或いはＤＬグラント(ＤＬ  ｇｒａｎｔ)とも呼ばれ、ＵＬ共有チャンネル(ｕｐｌｉｎｋ  ｓｈａｒｅｄ  ｃｈａｎｎｅｌ，ＵＬ−ＳＣＨ)の送信フォーマット及びリソース割り当て情報は、ＵＬスケジューリング情報或いはＵＬグラント(ＵＬ  ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ  ａｌｌｏｃａｔｉｏｎ)、ＭＣＳ(ｍｏｄｕｌａｔｉｏｎ  ｃｏｄｉｎｇ ｓｃｈｅｍｅ)、ＲＶ(ｒｅｄｕｎｄａｎｃｙ  ｖｅｒｓｉｏｎ)、ＮＤＩ(ｎｅｗ  ｄａｔａ  ｉｎｄｉｃａｔｏｒ)、ＴＰＣ(ｔｒａｎｓｍｉｔ  ｐｏｗｅｒ  ｃｏｎｔｒｏｌ)、循環シフトＤＭＲＳ(ｃｙｃｌｉｃ  ｓｈｉｆｔ  ｄｅｍｏｄｕｌａｔｉｏｎ  ｒｅｆｅｒｅｎｃｅ  ｓｉｇｎａｌ)、ＵＬインデックス、ＣＱＩ(ｃｈａｎｎｅｌ  ｑｕａｌｉｔｙ  ｉｎｆｏｒｍａｔｉｏｎ)要請、ＤＬ割り当てインデックス(ＤＬ  ａｓｓｉｇｎｍｅｎｔ  ｉｎｄｅｘ)、ＨＡＲＱプロセスナンバー、ＴＰＭＩ(ｔｒａｎｓｍｉｔｔｅｄ  ｐｒｅｃｏｄｉｎｇ  ｍａｔｒｉｘ  ｉｎｄｉｃａｔｏｒ)、ＰＭＩ(ｐｒｅｃｏｄｉｎｇ  ｍａｔｒｉｘ  ｉｎｄｉｃａｔｏｒ)情報などの制御情報が適宜選択された組み合わせが下りリンク制御情報としてＵＥに送信される。
【００４６】
一般に、ＵＥに構成された送信モード(ｔｒａｎｓｍｉｓｓｉｏｎ  ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４７】
ＰＤＣＣＨは、１つ又は複数の連続した制御チャンネル要素(ｃｏｎｔｒｏｌ  ｃｈａｎｎｅｌ  ｅｌｅｍｅｎｔ，ＣＣＥ)の集成(ａｇｇｒｅｇａｔｉｏｎ)上で送信される。ＣＣＥは、ＰＤＣＣＨに無線チャンネル状態に基づく符号化率(ｃｏｄｉｎｇ  ｒａｔｅ)を提供するために用いられる論理的割り当てユニット(ｕｎｉｔ)である。ＣＣＥは、複数のリソース要素グループ(ｒｅｓｏｕｒｃｅ  ｅｌｅｍｅｎｔ  ｇｒｏｕｐ，ＲＥＧ)に対応する。例えば、１ ＣＣＥは９個のＲＥＧに対応し、１ ＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ  Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ  ｌｅｖｅｌ)を例示するものである。
【００４８】
【表３】
2019532544.tif 000023
【００４９】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ  ｄｅｔｅｃｔｉｏｎ)(ブラインド復号(ｂｌｉｎｄ  ｄｅｃｏｄｉｎｇ，ＢＤ))という。
【００５０】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ  Ｄｏｗｎｌｉｎｋ  Ｓｈａｒｅｄ  ＣＨａｎｎｅｌ)を割り当てることができる。ＰＣＨ(Ｐａｇｉｎｇ  ｃｈａｎｎｅｌ)及びＤＬ−ＳＣＨ(Ｄｏｗｎｌｉｎｋ−ｓｈａｒｅｄ  ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ  Ｎｅｔｗｏｒｋ  Ｔｅｍｐｏｒａｒｙ  Ｉｄｅｎｔｉｔｙ)でＣＲＣ(ｃｙｃｌｉｃ  ｒｅｄｕｎｄａｎｃｙ  ｃｈｅｃｋ)マスキング(ｍａｓｋｉｎｇ)されており、「Ｂ」という無線リソース(例、周波数位置)及び「Ｃ」という送信形式情報(例、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５１】
ＵＥがｅＮＢから受信した信号を復調するには、データ信号と比較する参照信号(ｒｅｆｅｒｅｎｃｅ  ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャンネル測定用ＲＳを別途に提供しなければならない。例えば、３ＧＰＰ ＬＥＴ(−Ａ)では、ＵＥがチャンネル状態情報を測定できるようにするために、追加の測定用ＲＳであるＣＳＩ−ＲＳが当該ＵＥに送信される。ＣＳＩ−ＲＳは、チャンネル状態について相対的に時間による変化度が大きくないという事実に着目し、各サブフレーム毎に送信されるＣＲＳとは違い、複数のサブフレームで構成される所定の送信周期毎に送信される。
【００５２】
図４は、３ＧＰＰ ＬＥＴ／ＬＥＴ−Ａシステムで用いられる上りリンク(ｕｐｌｉｎｋ，ＵＬ)サブフレーム構造の一例を示す図である。
【００５３】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)を上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶためにＵＬサブフレームのデータ領域に割り当てられてもよい。
【００５４】
ＵＬサブフレームではＤＣ(Ｄｉｒｅｃｔ  Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５５】
ＰＵＣＣＨは、次の制御情報を送信するために用いることができる。
【００５６】
− ＳＲ(Ｓｃｈｅｄｕｌｉｎｇ  Ｒｅｑｕｅｓｔ)：上りリンクＵＬ−ＳＣＨリソースを要請するために用いられる情報である。ＯＯＫ(Ｏｎ−Ｏｆｆ  Ｋｅｙｉｎｇ)方式を用いて送信される。
【００５７】
− ＨＡＲＱ−ＡＣＫ：ＰＤＣＣＨに対する応答及び／又はＰＤＳＣＨ上の下りリンクデータパケット(例、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ  Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００５８】
− ＣＳＩ(Ｃｈａｎｎｅｌ  Ｓｔａｔｅ  Ｉｎｆｏｒｍａｔｉｏｎ)：下りリンクチャンネルに対するフィードバック情報(ｆｅｅｄｂａｃｋ  ｉｎｆｏｒｍａｔｉｏｎ)である。ＭＩＭＯ(Ｍｕｌｔｉｐｌｅ  Ｉｎｐｕｔ  Ｍｕｌｔｉｐｌｅ  Ｏｕｔｐｕｔ)−関連フィードバック情報は、ＲＩ(Ｒａｎｋ  Ｉｎｄｉｃａｔｏｒ)及びＰＭＩ(Ｐｒｅｃｏｄｉｎｇ  Ｍａｔｒｉｘ  Ｉｎｄｉｃａｔｏｒ)を含む。
【００５９】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ  Ｒｅｆｅｒｅｎｃｅ  Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００６０】
下記の表４に、ＬＥＴ／ＬＥＴ−ＡシステムでＰＵＣＣＨフォーマットとＵＣＩとのマッピング関係を示す。
【００６１】
【表４】
2019532544.tif 000024
【００６２】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャンネル状態情報(ｃｈａｎｎｅｌ  ｓｔａｔｅ  ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６３】
参照信号(Ｒｅｆｅｒｅｎｃｅ  Ｓｉｇｎａｌ；ＲＳ)
【００６４】
無線通信システムにおいてパケットを送信する時、パケットは無線チャンネルを通じて送信されるため、送信過程で信号の歪みが発生することがある。歪んだ信号を受信側で正しく受信するためには、チャンネル情報を用いて受信信号において歪みを補正しなければならない。チャンネル情報を知るために、送信側と受信側の両方で知っている信号を送信し、該信号がチャンネルを通じて受信される時の歪みの度合からチャンネル情報を把握する方法を主に用いる。この信号をパイロット信号(Ｐｉｌｏｔ  Ｓｉｇｎａｌ)又は参照信号(Ｒｅｆｅｒｅｎｃｅ  Ｓｉｇｎａｌ)という。
【００６５】
多重アンテナを用いてデータを送受信する場合には、各送信アンテナと受信アンテナ間のチャンネル状況を知ってこそ正しい信号を受信することができる。したがって、各送信アンテナ別に、より詳しくはアンテナポート(ａｎｔｅｎｎａ  ｐｏｒｔ)別に異なった参照信号が存在しなければならない。
【００６６】
参照信号は上りリンク参照信号と下りリンク参照信号とに区別できる。現在、ＬＥＴシステムには、上りリンク参照信号として、
【００６７】
ｉ)ＰＵＳＣＨ及びＰＵＣＣＨを通じて送信された情報のコヒーレント(ｃｏｈｅｒｅｎｔ)な復調のためのチャンネル推定のための復調参照信号(ＤｅＭｏｄｕｌａｔｉｏｎ−Ｒｅｆｅｒｅｎｃｅ  Ｓｉｇｎａｌ，ＤＭ−ＲＳ)
【００６８】
ｉｉ)基地局が、ネットワークの異なる周波数における上りリンクチャンネル品質を測定するためのサウンディング参照信号(Ｓｏｕｎｄｉｎｇ  Ｒｅｆｅｒｅｎｃｅ  Ｓｉｇｎａｌ，ＳＲＳ)がある。
【００６９】
一方、下りリンク参照信号としては、
【００７０】
ｉ)セル内の全ての端末が共有するセル−特定参照信号(Ｃｅｌｌ−ｓｐｅｃｉｆｉｃ  Ｒｅｆｅｒｅｎｃｅ  Ｓｉｇｎａｌ，ＣＲＳ)
【００７１】
ｉｉ)特定端末だけのための端末−特定参照信号(ＵＥ−ｓｐｅｃｉｆｉｃ  Ｒｅｆｅｒｅｎｃｅ  Ｓｉｇｎａｌ)
【００７２】
ｉｉｉ)ＰＤＳＣＨが送信される場合に、コヒーレントな復調のために送信される(ＤｅＭｏｄｕｌａｔｉｏｎ−Ｒｅｆｅｒｅｎｃｅ  Ｓｉｇｎａｌ，ＤＭ−ＲＳ)
【００７３】
ｉｖ)下りリンクＤＭＲＳが送信される場合に、チャンネル状態情報(Ｃｈａｎｎｅｌ  Ｓｔａｔｅ  Ｉｎｆｏｒｍａｔｉｏｎ；ＣＳＩ)を伝達するためのチャンネル状態情報参照信号(Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ)
【００７４】
ｖ)ＭＢＳＦＮ(Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ)モードで送信される信号に対するコヒーレントな復調のために送信されるＭＢＳＦＮ参照信号(ＭＢＳＦＮ  Ｒｅｆｅｒｅｎｃｅ  Ｓｉｇｎａｌ)
【００７５】
ｖｉ)端末の地理的位置情報を推定するために用いられる位置参照信号(Ｐｏｓｉｔｉｏｎｉｎｇ  Ｒｅｆｅｒｅｎｃｅ  Ｓｉｇｎａｌ)がある。
【００７６】
参照信号はその目的によって２種類に大別できる。チャンネル情報取得のために用いられる参照信号と、データ復調のために用いられる参照信号とがある。前者は、ＵＥが下りリンク上のチャンネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャンネル測定をしてデータを復調することが可能になる。この参照信号は、データの送信される領域で送信されなければならない。
【００７７】
ＣＳＩ報告
【００７８】
３ＧＰＰ ＬＴＥ(−Ａ)システムでは、ユーザ機器(ＵＥ)がチャンネル状態情報(ＣＳＩ)を基地局(ＢＳ)に報告するように定義されており、チャンネル状態情報(ＣＳＩ)とは、ＵＥとアンテナポートとの間に形成される無線チャンネル(又は、リンクともいう)の品質を示すことのできる情報を総称する。例えば、ランク指示子(ｒａｎｋ ｉｎｄｉｃａｔｏｒ，ＲＩ)、プリコーディング行列指示子(ｐｒｅｃｏｄｉｎｇ ｍａｔｒｉｘ ｉｎｄｉｃａｔｏｒ，ＰＭＩ)、チャンネル品質指示子(ｃｈａｎｎｅｌ ｑｕａｌｉｔｙ ｉｎｄｉｃａｔｏｒ，ＣＱＩ)などがある。ここで、ＲＩは、チャンネルのランク(ｒａｎｋ)情報を示し、これはＵＥが同一の時間−周波数リソースを通じて受信するストリームの数を意味する。この値は、チャンネルの長期フェーディング(ｆａｄｉｎｇ)によって従属されて決定されるため、通常、ＰＭＩ、ＣＱＩよりも長い周期を有してＵＥからＢＳにフィードバックされる。ＰＭＩは、チャンネル空間特性を反映した値であって、ＳＩＮＲなどのメートル(ｍｅｔｒｉｃ)に基づいて、ＵＥが選好するプレコーディングインデックスを示す。ＣＱＩは、チャンネルの強さを示す値であって、通常、ＢＳがＰＭＩを用いるときに得られる受信ＳＩＮＲを意味する。
【００７９】
上述した無線チャンネルの測定に基づいて、ＵＥは、現在のチャンネル状態下において前記ＢＳによって使用される場合、最適又は最高の送信レートが導出できる選好されるＰＭＩ及びＲＩを計算して、計算されたＰＭＩ及びＲＩをＢＳにフィードバックする。ここで、ＣＱＩは、フィードバックされたＰＭＩ／ＲＩに対する受容可能なパケットエラー率(ｐａｃｋｅｔ ｅｒｒｏｒ ｐｒｏｂａｂｉｌｉｔｙ)を提供する変調及びコーディング方式(ｍｏｄｕｌａｔｉｏｎ ａｎｄ ｃｏｄｉｎｇ ｓｃｈｅｍｅ)を称する。
【００８０】
一方、より精密なＭＵ−ＭＩＭＯと明示的なＣｏＭＰ動作が期待されるＬＴＥ−Ａシステムにおいて、現在のＣＳＩフィードバックはＬＴＥで定義されており、よって、新たに導入される上述した動作を十分に支援することができない。ＣＳＩフィードバックの正確度に対する要求事項が十分なＭＵ−ＭＩＭＯ又はＣｏＭＰスループット(ｔｈｒｏｕｇｈｐｕｔ)利得を得るためにますますややこしくなるにつれて、ＰＭＩが長期(ｌｏｎｇ ｔｅｒｍ)／広帯域(ｗｉｄｅｂａｎｄ)ＰＭＩ(Ｗ１)、及び短期(ｓｈｏｒｔ ｔｅｒｍ)/サブバンド(ｓｕｂｂａｎｄ)ＰＭＩ(Ｗ２)の２つで構成されるように合議されている。換言すれば、最終のＰＭＩは、Ｗ１とＷ２の関数で表現される。例えば、最終のＰＭＩ Ｗは以下のように定義されてもよい：Ｗ＝Ｗ１＊Ｗ２ ｏｒ Ｗ＝Ｗ２＊Ｗ１。よって、ＬＴＥ−ＡにおいてＣＳＩはＲＩ、Ｗ１、Ｗ２及びＣＱＩからなる。
【００８１】
３ＧＰＰ ＬＴＥ(−Ａ)システムにおいてＣＳＩ送信のために用いられる上りリンクチャンネルは、以下の表５のようである。
【００８２】
【表５】
2019532544.tif 000025
【００８３】
表５を参照すると、ＣＳＩは上位層で定められた周期で物理上りリンク制御チャンネル(Ｐｈｙｓｉｃａｌ Ｕｐｌｉｎｋ Ｃｏｎｔｒｏｌ Ｃｈａｎｎｅｌ，ＰＵＣＣＨ)を用いて送信されてもよく、スケジューラーの必要に応じて非周期的に物理上りリンク共有チャンネル(Ｐｈｙｓｉｃａｌ Ｕｐｌｉｎｋ Ｓｈａｒｅｄ Ｃｈａｎｎｅｌ，ＰＵＳＣＨ)を用いて送信されてもよい。ＣＳＩがＰＵＳＣＨで送信される場合は、周波数選択的なスケジューリング方式及び非周期的ＣＳＩ送信である場合に限る。以下では、スケジューリング方式及び周期性によるＣＳＩ送信方式を説明する。
【００８４】
１）ＣＳＩ送信要請制御信号(ＣＳＩ ｒｅｑｕｅｓｔ)を受信した後、ＰＵＳＣＨを通じたＣＱＩ／ＰＭＩ／ＲＩ送信
【００８５】
ＰＤＣＣＨ信号で送信されるＰＵＳＣＨスケジューリング制御信号(ＵＬ Ｇｒａｎｔ)にＣＳＩを送信するように要請する制御信号が含まれてもよい。以下の表は、ＰＵＳＣＨによってＣＱＩ、ＰＭＩ、ＲＩを送信するときのＵＥのモードを示す。
【００８６】
【表６】
2019532544.tif 000026
【００８７】
表６の送信モードは、上位レイヤから選択され、ＣＱＩ／ＰＭＩ／ＲＩは、いずれも同じＰＵＳＣＨサブフレームで送信される。以下では、各モードによるＵＥの上りリンク送信方法について説明する。
【００８８】
モード１−２(Ｍｏｄｅ １−２)は、各々のサブバンドに対してデータがサブバンドのみを通じて送信されると仮定して、プレコーディング行列を選択する場合を示す。ＵＥは、システム帯域又は上位レイヤで指定した帯域(ｓｅｔ Ｓ)全体に対して選択したプレコーディング行列を仮定してＣＱＩを生成する。モード１−２において、ＵＥは、ＣＱＩと各サーブバンドのＰＭＩ値を送信することができる。このとき、各サブバンドのサイズは、システム帯域のサイズに応じて異なってもよい。
【００８９】
モード２−０(Ｍｏｄｅ ２−０)のＵＥは、システム帯域又は上位レイヤで指定した帯域(ｓｅｔ Ｓ)に対して、選好するＭ個のサブバンドを選択することができる。ＵＥは選択したＭ個のサブバンドに対してデータを送信すると仮定して、１つのＣＱＩ値を生成することができる。さらに、ＵＥは、システム帯域又はｓｅｔ Ｓに対して、１つのＣＱＩ(ｗｉｄｅｂａｎｄ ＣＱＩ)値を報告することが望ましい。ＵＥは、選択したＭ個のサブバンドに対して、複数のコードワードがある場合、各コードワードに対するＣＱＩ値を差分の形式で定義する。
【００９０】
このとき、差分ＣＱＩ値は、選択したＭ個のサブバンドに対するＣＱＩ値に該当するインデックスと広帯域ＣＱＩ(ＷＢ−ＣＱＩ：Ｗｉｄｅｂａｎｄ ＣＱＩ)インデックスとの差分値で決定される。
【００９１】
モード２−０のＵＥは、選択したＭ個のサブバンドの位置に対する情報、選択したＭ個のサブバンドに対する１つのＣＱＩ値及び全帯域又は指定帯域(ｓｅｔ Ｓ)に対して生成したＣＱＩ値をＢＳに送信することができる。このとき、サブバンドのサイズ及びＭ値は、システム帯域のサイズに応じて異なってもよい。
【００９２】
モード２−２(Ｍｏｄｅ ２−２)のＵＥは、Ｍ個の選好するサブバンドを通じてデータを送信すると仮定して、Ｍ個の選好サブバンドの位置とＭ個の選好サブバンドに対する単一プレコーディング行列を同時に選択することができる。このとき、Ｍ個の選好サブバンドに対するＣＱＩ値は、各コードワード毎に定義される。さらに、ＵＥは、システム帯域又は指定帯域(ｓｅｔ Ｓ)に対して広帯域ＣＱＩ(ｗｉｄｅｂａｎｄ ＣＱＩ)値を生成する。
【００９３】
モード２−２のＵＥは、Ｍ個の選好するサブバンドの位置に関する情報、選択されたＭ個のサブバンドに対する１つのＣＱＩ値、Ｍ個の選好するサブバンドに対する単一ＰＭＩ、広帯域ＰＭＩ、広帯域ＣＱＩ値をＢＳに送信することができる。このとき、サブバンドのサイズ及びＭ値は、システム帯域のサイズに応じて異なってもよい。
【００９４】
モード３−０(Ｍｏｄｅ ３−０)のＵＥは、広帯域ＣＱＩ値を生成する。ＵＥは、各サブバンドを通じてデータを送信すると仮定して、各サブバンドに対するＣＱＩ値を生成する。このとき、ＲＩ＞１であっても、ＣＱＩ値は、最初のコードワードに対するＣＱＩ値のみを示す。
【００９５】
モード３−１(Ｍｏｄｅ ３−１)のＵＥは、システム帯域又は指定帯域(ｓｅｔ Ｓ)に対して、単一プレコーディング行列(ｐｒｅｃｏｄｉｎｇ ｍａｔｒｉｘ)を生成する。ＵＥは、各サブバンドに対して、先に生成した単一プレコーディング行列を仮定して、コードワード毎にサブバンドＣＱＩを生成する。また、ＵＥは、単一プレコーディング行列を仮定して、広帯域ＣＱＩを生成することができる。各サブバンドのＣＱＩ値は、差分の形式で表されてもよい。サブバンドＣＱＩ値は、サブバンドＣＱＩインデックスと広帯域ＣＱＩインデックスとの差分値で計算される。このとき、サブバンドのサイズは、システム帯域のサイズに応じて異なってもよい。
【００９６】
モード３−２(Ｍｏｄｅ ３−２)のＵＥは、モード３−１と比較して、全帯域に対する単一プレコーディング行列の代わりに、各サブバンドに対するプレコーディング行列を生成する。
【００９７】
２）ＰＵＣＣＨを通じた周期的なＣＱＩ／ＰＭＩ／ＲＩ送信
【００９８】
ＵＥは、ＣＳＩ(ｅ.ｇ. ＣＱＩ/ＰＭＩ/ＰＴＩ(ｐｒｅｃｏｄｉｎｇ ｔｙｐｅ ｉｎｄｉｃａｔｏｒ)及び／又はＲＩ情報)をＰＵＣＣＨを通じてＢＳに周期的に送信することができる。仮に、ＵＥがユーザデータを送信するという制御信号を受信した場合は、ＵＥはＰＵＣＣＨを通じてＣＱＩを送信することができる。制御信号がＰＵＳＣＨを通じて送信されても、ＣＱＩ/ＰＭＩ/ＰＴＩ/ＲＩは、以下の表に定義されているモードのうち、いずれか一方の方式によって送信されることができる。
【００９９】
【表７】
2019532544.tif 000027
【０１００】
ＵＥは、表７のような送信モードを有してもよい。表７を参考すると、モード２−０(Ｍｏｄｅ ２−０)及びモード２−１(Ｍｏｄｅ ２−１)の場合、帯域幅パート(ＢＰ：Ｂａｎｄｗｉｄｔｈ Ｐａｒｔ)は、周波数領域で連続して位置するサブバンドの集合であり、システム帯域又は指定帯域(ｓｅｔ Ｓ)を両方カバーすることができる。表７において、各サブバンドのサイズ、ＢＰのサイズ及びＢＰの数は、システム帯域のサイズに応じて異なってもよい。また、ＵＥは、システム帯域又は指定帯域(ｓｅｔ Ｓ)がカバーできるように、ＢＰ毎にＣＱＩを周波数領域で昇順に送信する。
【０１０１】
ＣＱＩ/ＰＭＩ/ＰＴＩ/ＲＩの送信組み合わせによって、ＵＥは、以下のようなＰＵＣＣＨ送信タイプを有してもよい。
【０１０２】
ｉ) タイプ１(Ｔｙｐｅ １)：モード２−０(Ｍｏｄｅ ２−０)、モード２−１(Ｍｏｄｅ ２−１)のサブバンドＣＱＩ(ＳＢ−ＣＱＩ)を送信する。
【０１０３】
ｉｉ) タイプ１ａ：サブバンドＣＱＩ及び第２のＰＭＩを送信する。
【０１０４】
ｉｉｉ) タイプ２、タイプ２ｂ、タイプ２ｃ：広帯域ＣＱＩ及びＰＭＩ(ＷＢ−ＣＱＩ/ＰＭＩ)を送信する。
【０１０５】
ｉｖ) タイプ２ａ：広帯域ＰＭＩを送信する。
【０１０６】
ｖ) タイプ３：ＲＩを送信する。
【０１０７】
ｖｉ) タイプ４：広帯域ＣＱＩを送信する。
【０１０８】
ｖｉｉ) タイプ５：ＲＩ及び広帯域ＰＭＩを送信する。
【０１０９】
ｖｉｉｉ) タイプ６：ＲＩ及びＰＴＩを送信する。
【０１１０】
ｉｘ) タイプ７：ＣＲＩ(ＣＳＩ−ＲＳ ｒｅｓｏｕｒｃｅ ｉｎｄｉｃａｔｏｒ)及びＲＩを送信する。
【０１１１】
ｘ) タイプ８：ＣＲＩ、ＲＩ及び広帯域ＰＭＩを送信する。
【０１１２】
ｘｉ) タイプ９：ＣＲＩ、ＲＩ及びＰＴＩ(ｐｒｅｃｏｄｅ ｔｙｐｅ ｉｎｄｉｃａｔｉｏｎ)を送信する。
【０１１３】
ｘｉｉ) タイプ１０：ＣＲＩを送信する。
【０１１４】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同じサブフレームに送信されなければならない場合には、ＣＱＩ／ＰＭＩは送信されない。
【０１１５】
非周期的ＣＳＩ要請
【０１１６】
現在、ＬＴＥ標準では、ＣＡ(ｃａｒｒｉｅｒ ａｇｇｒｅｇａｔｉｏｎ)環境を考慮して、非周期的ＣＳＩフィードバックを動作させるためには、ＤＣＩフォーマット０又は４で２−ビットＣＳＩ要請フィールドを用いている。端末は、ＣＡ環境において複数のサービングセルが設定された場合、ＣＳＩ要請フィールドを２−ビットと解釈する。仮に全てのＣＣ(Ｃｏｍｐｏｎｅｎｔ Ｃａｒｒｉｅｒ)に対して、ＴＭ １から９の間のＴＭのうち１つが設定された場合、以下の表８の値によって非周期的ＣＳＩフィードバックがトリガリングされ、全てのＣＣのうち、少なくとも１つのＣＣに対してＴＭ １０が設定された場合は、以下の表９の値によって非周期的ＣＳＩフィードバックがトリガリングされる。
【０１１７】
【表８】
2019532544.tif 000028
【０１１８】
【表９】
2019532544.tif 000029
【０１１９】
本発明では、新ＲＡＴのように、数多くのアンテナポートを用いて通信する環境において、オーバーヘッドを減らすためのマルチ−ステージ(ｍｕｌｔｉ−ｓｔａｇｅ)ＣＳＩを用いるとき、ＲＳとフィードバックタイプとからなる各ステージを定義して、これを端末に設定及び動的にシグナリングするためのシグナリング方法を提案する。
【０１２０】
数多くのアンテナポートを用いるＮＲ(ＮｅｗＲａｔ)−ＭＩＭＯにおいて、フィードバックのオーバーヘッドを減らすためにマルチ−ステージＣＳＩが考慮されている。このとき、マルチ−ステージＣＳＩの各ステージは、ＣＳＩのためのＲＳとフィードバックタイプとの対(ｐａｉｒ)で定義され、そのために以下のような設定が与えられてもよい。
【０１２１】
− １つのＣＳＩプロセスは、１つ以上のステージ設定を含んでもよい。
【０１２２】
− １つのステージ設定は、１つのＣＳＩ報告設定と１つのＲＳ設定との対に対応されてもよい。
【０１２３】
− １つのステージの設定は、複数のフィードバックタイプを含んでもよい。
【０１２４】
− フィードバックタイプは、いずれのフィードバック情報が送信されるか、フィードバックタイミング(或いは、ＤＣＩで指定可能なフィードバックタイミング値の範囲)、ＣＳＩの計算方法(例えば、明示的又は暗示的)、周波数粒度(ｇｒａｎｕｌａｒｉｔｙ)(例え、広帯域、部分帯域、又は副帯域)などの情報を含んでもよい。
【０１２５】
− ＲＳ設定は、端末がＤＣＩなどで指定可能なＲＳパターンの候補を複数含んでもよく、当該ＲＳパターンがどんな周期ｐで何個のサブフレームｋにわたって送信されるのかに関する情報を含んでもよい。この場合、当該ＲＳが送信される全時間長さはｐ＊ｋサブフレームになり得る。
【０１２６】
このＣＳＩプロセス、ステージ設定及びこれに含まれる情報は、ＲＲＣシグナリングなどの上位層シグナリングで端末に設定されてもよい。
【０１２７】
１つのフィードバックタイプが複数のステージ設定に適用されてもよい。例えば、アナログビーム選択ステージとデジタルビーム選択ステージに互いに異なるＲＳ(例えば、それぞれＢＲＳと異なるプリコーディングの複数のＣＳＩ−ＲＳ)が定義されるものの、各ステージに対するフィードバックはいずれもビームインデックスのフィードバックのみを含むことができる。この場合、各ＲＳのポート／ビームインデックスとフィードバックインデックスとのマッピングが各々のＲＳに対して定義されてもよい。例えば、フィードバックするビームインデックス０は、最低のポート／ビームインデックスに対応されてもよい。この場合、ＢＲＳはポート０〜７のそれぞれがフィードバックするビームインデックス０〜７に対応されてもよく、ＢＲＲＳ(Ｂｅａｍ Ｒｅｆｉｎｅｍｅｎｔ Ｒｅｆｅｒｅｎｃｅ Ｓｉｇｎａｌ)の場合は、ポート６００〜６０７のそれぞれがフィードバックするビームインデックス０〜７に対応されてもよい。
【０１２８】
各ＣＳＩステージに以下のような目的が考慮されてもよい。
【０１２９】
１．アナログビーム選択：基地局で用いられるアナログビームを選択する。
【０１３０】
２．デジタルビーム選択：基地局のＴＸＵよりも多いアンテナポートを基地局が有するとき、端末に実際のデータ送信に用いるポート数(例え、ＴＸＵの数)だけのポートを指定するステップ。
【０１３１】
３．ＣＳＩ取得：端末が実際のデータ送信に用いるＣＳＩ計算／報告
【０１３２】
４．部分帯域選択：端末がデータ送信に用いる部分帯域を決定及び制限するステップ。この場合、端末が当該部分帯域内でのみスケジューリングされることができる。
【０１３３】
５．ＣＳＩトラッキング(ｔｒａｃｋｉｎｇ)：部分帯域制限下に当該部分帯域に対するＣＳＩ計算／報告。
【０１３４】
この部分帯域選択及びＣＳＩトラッキングにおける部分帯域制限は、基地局がサービス別に専用部分帯域報告のために用いられてもよい。換言すれば、部分帯域選択の場合、基地局は特定の端末が使用するサービスに該当する部分帯域に対するＣＳＩを得るために、各サービスに対する部分帯域(例え、ｅＭＢＢ、ＵＲＬＬＣ、ｍＭＴＣ用の部分帯域)のＣＳＩを計算／報告するように設定してもよく、ＣＳＩトラッキングではこの方式で得られたＣＳＩベースの選択、又はＭＩＢ／ＳＩＢや上位層シグナリングなどで端末に設定されたサービス専用部分帯域にのみＲＳを送信して、当該部分帯域に対するＣＳＩのみを計算／報告するように設定してもよい。
【０１３５】
また、この部分帯域選択及びＣＳＩトラッキングにおける部分帯域制限は、副帯域ＣＳＩを用いたリソース割り当ての面からデータの送信が完了したり別途の更新があるまで、基地局が端末にスケジューリングする副帯域を使用し続けられる方式を意味してもよい。この方式もサービス別に専用部分帯域報告のために用いられてもよいが、そのためには、副帯域が部分帯域単位で定義される必要がある。すなわち、副帯域＝部分帯域と定義されたり、１つの部分帯域内において複数の副帯域が定義されてもよい。すなわち、１つの副帯域が２つの部分帯域にかけて定義されることはない。
【０１３６】
上述した例の他にも、基地局が端末のために用いるデータ送信方式(例え、ＣＱＩ、プリコーディング、送信レイヤー)を決定するための更なる目的が考慮されてもよい。
【０１３７】
３．１ ＣＳＩステージ
【０１３８】
マルチ−ステージＣＳＩは、複数のＣＳＩステージからなり、各ＣＳＩステージとしては、以下のようなＲＳフィードバックタイプ対が考慮されてもよい。
【０１３９】
１）異なるプリコーディングの複数の広帯域ＲＳ、ＣＲＩ(ＣＳＩ−ＲＳ ｒｅｓｏｕｒｃｅ ｉｎｄｉｃａｔｏｒ)(ビームインデックス報告)
【０１４０】
２）異なるプリコーディングの複数の広帯域ＲＳ、ＣＲＩを含む広帯域ＣＳＩ
【０１４１】
３）異なるプリコーディングの複数の広帯域ＲＳ、ＣＲＩを含む副帯域ＣＳＩ
【０１４２】
４）広帯域ＲＳ、広帯域ＣＳＩ
【０１４３】
５）広帯域ＲＳ、副帯域ＣＳＩ
【０１４４】
６）部分帯域ＲＳ、広帯域ＣＳＩ
【０１４５】
７）部分帯域ＲＳ、副帯域ＣＳＩ
【０１４６】
８）広帯域ＲＳ、部分帯域ＣＳＩ
【０１４７】
９）複数のアナログビーム、ＢＳＩ(ｂｅａｍ ｓｅｌｅｃｔｉｏｎ ｉｎｄｅｘ)
【０１４８】
上述した例は、ＲＳ面におけるＲＳの数及びＲＳの周波数粒度、フィードバックタイプ面におけるフィードバックの周波数粒度の特性を考えてＣＳＩステージを考慮したが、以下のような他の特性がさらに考慮されてもよい。
【０１４９】
− ＲＳ面
【０１５０】
■ ＲＳ種類 − ＢＲＳ、ＢＲＲＳ、ＲＲＭ−ＲＳ、ＤＭＲＳなど
【０１５１】
■ セル特定／端末特定ＲＳ
【０１５２】
− 周波数フィードバック面
【０１５３】
■ 周期的／非周期的ＣＳＩフィードバック
【０１５４】
■ 明示的／暗示的フィードバック
【０１５５】
■ 長い／短い(ｌｏｎｇ／ｓｈｏｒｔ)報告タイミング
【０１５６】
■ プリコーディング情報／チャンネル品質情報／レイヤー数情報など
【０１５７】
各ＣＳＩステージにおいて端末は、指定されたＲＳを用いて指定されたフィードバックタイプに対するＣＳＩを計算して、指定されたフィードバックリソース(時間−周波数リソース)を用いて基地局に報告することができる。
【０１５８】
このとき、部分帯域ＲＳは、指定された部分帯域全体に対してＲＳが送信される方式である。これは、サービス別の専用部分帯域と同一であってもよく、或いは単に基地局において副帯域スケジューリング後に別途の更新があったりデータ送信の終了時まで当該副帯域でデータを送信しようとするとき、当該副帯域と同一であってもよい。
【０１５９】
換言すれば、 
【０１６０】
− 部分帯域：広帯域内で端末が現在動作している特定のサービスのための帯域。
【０１６１】
− 副帯域：部分帯域内で端末がスケジューリングされ得る帯域。
【０１６２】
のように定義されてもよい。又は、部分帯域は、物理層の観点から互いに異なるサービスを支援するために、ＴＴＩ、サブフレーム／スロット長、サブキャリア間隔などのシステムニューマロロジーが異なる周波数リソースに該当することができるため、以下のように定義されてもよい。
【０１６３】
− 部分帯域：広帯域内で同一のニューマロロジー(例え、スロット／サブフレーム長、ＴＴＩ、サブキャリア間隔)を有する端末によって支援される最大の帯域幅。
【０１６４】
特に、上述した部分帯域の定義のうちサービスに関する情報は、端末に明示的に設定しない場合があるため、部分帯域が実質的に端末へ定義される方式は、１）同じニューマロロジーを有している帯域内で設定される帯域であって、２）端末の制御チャンネルのモニタリング及び／又は実質的なデータスケジューリングが当該部分帯域内で行われる。換言すれば、互いに異なるニューマロロジーを有する帯域に対して、別途の部分帯域(すなわち、部分帯域ＣＳＩ−ＲＳ／ＩＭＲ)が定義され、同様にＣＳＩ計算／報告も各部分帯域に対して独立して行われる必要がある。
【０１６５】
この場合、部分帯域ＣＳＩ−ＲＳは、周波数リソース変動特性が半−静的であるため、上位層シグナリング(例え、ＲＲＣシグナリング)によって予め設定されてもよく、副帯域ＣＳＩ−ＲＳは、基地局トラフィック状況に応じて動的に指定される必要があるため、ＤＣＩのようなＬ１シグナリング又はＬ２シグナリングによって動的に指定されてもよい。ただし、副帯域ＣＳＩ−ＲＳが送信され得る候補リソースに対しては、ＲＲＣシグナリングのような上位層シグナリングによって予め設定しておいて、Ｌ１／Ｌ２シグナリングによって動的に副帯域ＣＳＩ−ＲＳをトリガ、オン(ｏｎ)又はオフ(ｏｆｆ)する方式も可能である。
【０１６６】
一例として、ＲＲＣシグナリングで部分帯域の構成情報(例え、ＰＲＢ開始インデックス及び最後インデックス)及び副帯域の構成情報(例え、副帯域サイズ：Ｎ個のＰＲＢ)を設定することができる。このとき、副帯域の構成情報が定められた規則によって決定される場合、副帯域の構成情報は、シグナリングから除外されてもよい。例えば、システム帯域幅、端末−特定広帯域帯域幅、或いは部分帯域帯域幅に応じて決定されたＮ(ここで、Ｎは自然数)によって、副帯域の帯域幅はＮ個のＰＲＢで決定されてもよい。その後、非周期的ＣＳＩ−ＲＳトリガリングＤＣＩに、部分帯域内にいずれの副帯域ＣＳＩ−ＲＳが送信されるかに関する情報がビットマップ形式で含まれてもよい。同様に、半−永久(ｓｅｍｉ−ｐｅｒｓｉｓｔｅｎｔ)ＣＳＩ−ＲＳ送信に対するＣＳＩ−ＲＳオン／オフ(ｏｎ／ｏｆｆ)ＤＣＩにもこのビットマップ情報が含まれてもよい。
【０１６７】
さらに、帯域幅部分(ｂａｎｄｗｉｄｔｈ ｐａｒｔ)という概念が新たに導入され、部分帯域ＣＳＩ−ＲＳに対して、部分帯域は帯域幅の部分と同一であってもよい。また、１つ以上の帯域幅部分設定が各要素搬送波(ｃｏｍｐｏｎｅｎｔ ｃａｒｒｉｅｒ；ＣＣ)毎に端末に設定されてもよく、各帯域幅部分は、連続したＰＲＢのグループからなる。また、帯域幅部分の帯域幅は、端末によって支援される最大の帯域幅(性能)以下であり、少なくともビーム管理(ｂｅａｍ ｍａｎａｇｅｍｅｔ)において用いられるＳＳ(ｓｙｎｃｈｒｏｎｉｚａｔｉｏｎ ｓｉｇｎａｌ)帯域幅以上である。かかる帯域幅部分の設定は、ニューマロロジー、周波数位置(例え、中心周波数)又は帯域幅を含んでもよい。
【０１６８】
各帯域幅部分は、特定のニューマロロジー(サブキャリア間隔、ＣＰタイプなど)と関連して、端末は与えられた時点に設定された帯域幅部分の集合のうち、少なくとも１つのＤＬ帯域幅部分及び１つのＵＬ帯域幅部分が活性化することを期待する。端末は関連したニューマロロジーを用いて、活性化されたＤＬ／ＵＬ帯域幅部分内でのみ送受信するように仮定される。
【０１６９】
特に、広帯域、部分帯域、副帯域ＲＳが別途として定義されてもよい。すなわち、広帯域ＲＳ、部分帯域ＲＳ、副帯域ＲＳの３つの階層に区分されてもよい。この副帯域ＲＳは、副帯域ＣＳＩと同じ粒度(ｇｒａｎｕｌａｒｉｔｙ)を有する。すなわち、ＲＳが定義される部分帯域或いは広帯域内に複数の副帯域ＲＳが定義されてもよい。
【０１７０】
仮に、端末が全てのシステム帯域幅がモニタリングできない場合、すなわち、端末がシステム帯域の一部のみを使用する能力(ｃａｐａｂｉｌｉｔｙ)を有する場合、広帯域は、端末が使用するように設定された最大の帯域幅を意味してもよい。仮に、端末が特定のサービスだけのための端末である場合、端末の広帯域ＲＳと部分帯域ＲＳは、同じ周波数粒度を有してもよい。すなわち、広帯域ＲＳにおける広帯域は以下のように定義されてもよい。
【０１７１】
− 広帯域：端末によって支援される最大の帯域幅。
【０１７２】
もし搬送波併合を考慮する場合は、要素搬送波毎にＣＳＩが定義されるのが自然であるため、以下のような定義がさらに正確である。
【０１７３】
− 広帯域：要素搬送波毎に端末によって支援される最大の帯域幅。
【０１７４】
又は、基地局は、端末が使用可能な最大の周波数帯域よりも小さいか同一の帯域をデータが送信できる候補帯域幅として設定して、かかる帯域を１つの広帯域として定義して、１つのＣＳＩ関連動作単位として設定することができる。広帯域は端末にＳＩＢ(ｓｙｓｔｅｍ ｉｎｆｏｒｍａｔｉｏｎ ｂｌｏｃｋ)などの方法で設定されるか、より良好な柔軟性のためにＲＲＣシグナリングなどの上位層シグナリングによって設定することができる。このような広帯域は、端末が支援可能な最大の帯域幅内に複数設定されてもよい。このとき、各広帯域は互いに重なってもよい。よって、広帯域ＲＳ及び広帯域ＣＳＩは、端末に設定した各広帯域に対するＲＳ送信及びＣＳＩ測定／報告動作であって、他の広帯域に対するＲＳ送信及びＣＳＩ測定／報告動作とは独立して実行されてもよい。この場合、各広帯域内には互いに異なるニューマロロジーからなる部分帯域が複数定義されてもよく(ＴＤＭ、ＦＤＭのいずれも可能)、このように広帯域内に定義される端末−側の部分帯域は、基地局面で設定された部分帯域(例え、同じニューマロロジーを有する帯域)の一部のみが該当されてもよい。当該広帯域内に単一のニューマロロジーが定義される場合、広帯域と部分帯域ＣＳＩは一致してもよく、その場合、部分帯域ＣＳＩ(の報告)が省略されてもよい。
【０１７５】
具体的に、端末が特定の動作(例え、ｍＭＴＣ、データ副帯域動作)のみを用いるなど、端末が特定の部分帯域でのみ動作する場合、基地局は端末の広帯域ＲＳを部分帯域ＲＳと同一の周波数粒度と設定してもよい。換言すれば、広帯域と部分帯域が占める周波数領域は、同じサイズであってもよい。
【０１７６】
特に、広帯域は端末に対する制御及び／又はデータが送信される周波数帯域の単位、より具体的には、１つのＴＢ(ｔｒａｎｓｐｏｒｔ ｂｌｏｃｋ)が送信可能な単位になり得る。この場合、１つの広帯域内に互いに異なるニューマロロジーを有する部分帯域はＦＤＭされないか、少なくとも特定の時点にはＦＤＭされないと仮定することができる。すなわち、１つの広帯域内に複数に定義される部分帯域は、互いにＴＤＭのみ可能である。例えば、互いに異なるサブキャリア間隔を有するか、同じサイズの周波数帯域を用いる２つの部分帯域が広帯域内に定義されてもよいが、これは互いに異なるタイミングに用いられる。
【０１７７】
上述した動作のために、広帯域当たり別々のＣＳＩプロセスが設定されてもよい。すなわち、各「広帯域」単位で独立したＣＳＩ−ＲＳ、ＣＳＩ報告設定が与えられ、ＣＳＩ−ＲＳの送信及び測定／報告動作が独立して行われる。この場合、複数の広帯域に対するＣＳＩが１つのＵＬリソースで報告されてもよい。
【０１７８】
ビーム管理やＲＲＭ(ｒａｄｉｏ ｒｅｓｏｕｒｃｅ ｍａｎａｇｅｍｅｎｔ)測定のような目的のために、端末がみることのできる全帯域に対するＣＳＩ−ＲＳを基地局が送信することができる。このために、基地局は全体の関心帯域をカバーする複数の広帯域ＣＳＩ−ＲＳを送信して、ビーム管理、ＲＲＭ測定のような用途として用いることができる。或いは、一種の「スパ−広帯域(ｓｕｐｅｒ−ｗｉｄｅｂａｎｄ)」を端末が使用可能な最大の周波数帯域又は搬送波の全体システム帯域幅で定義して、基地局はスパ−広帯域に対するＣＳＩ−ＲＳを送信することができる。当該ＣＳＩに対する端末動作は、端末がスパ−広帯域の帯域幅を支援する場合、ベースリソースが１回のタイミング(例えば、スロット)内における帯域幅を称してもよい。仮に端末が全体の帯域幅を同時に支援できない場合、スパ−広帯域のベースリソースは、複数のタイミング(例え、スロット)の部分帯域幅にわたる集合(ａｇｇｒｅｇａｔｉｏｎ)であってもよい。
【０１７９】
または、広帯域は制御チャンネルが送信される周波数帯域を意味して、データスケジューリングされる周波数帯域ではなく制御チャンネルがスケジューリングされる周波数帯域を対象としてもよい。すなわち、制御チャンネルがスケジューリングされる周波数帯域を対象として広帯域ＲＳを送信したり、当該帯域を対象としたＣＳＩを広帯域ＣＳＩとして定義してもよい。データが送信される帯域と制御が送信される帯域とが互いに異なる場合、端末は制御チャンネルに対するＣＳＩを広帯域ＣＳＩを介して報告して用いることで、より安定した制御チャンネル送信を行うことができる。
【０１８０】
各ＣＳＩ計算において、端末は対象帯域が同じニューマロロジー(例え、サブキャリア間隔、ＴＴＩサイズ)を有すると仮定する。
【０１８１】
上述したＣＳＩのためのＲＳと類似した構造として、干渉測定のためのＲＳ(すなわち、ＣＳＩ−ＩＭ(ｉｎｔｅｒｆｅｒｅｎｃｅ ｍｅａｓｕｒｅｍｅｎｔ))が定義されてもよい。すなわち、ＣＳＩ−ＩＭに対する粒度として広帯域ＣＳＩ−ＩＭ／部分帯域ＣＳＩ−ＩＭ／副帯域ＣＳＩ−ＩＭが定義されて、以下のステージに含まれてもよい。特に、各ステージに１つのＲＳとともに、複数のＣＳＩ−ＩＭが含まれて、多重干渉仮定に対するＣＳＩを報告することができる。このようなＣＳＩに対する干渉測定のターゲット帯域は、ＣＳＩのためのＲＳの場合と同様に、基地局が端末に部分帯域ＣＳＩ−ＩＭに対してはＲＲＣシグナリングのような上位−層シグナリングで半静的に知らせてもよく、副帯域ＣＳＩ−ＩＭに対してはＤＣＩのようなＬ１シグナリングによって動的に知らせてもよい。
【０１８２】
この場合、ＣＳＩ−ＩＭはＣＳＩのためのＲＳと異なる周波数粒度を有してもよい。すなわち、ＩＭのための広帯域／部分帯域／副帯域の構成とＣＳＩ−ＲＳリソースのための広帯域／部分帯域／副帯域の構成とは設定が互いに異なってもよい。このとき、端末にＣＳＩ測定を設定するとき、互いに異なる周波数粒度を有するＣＳＩ−ＲＳとＣＳＩ−ＩＭの組み合わせも可能である。例えば、ＣＳＩのための副帯域ＲＳと部分帯域ＣＳＩ−ＩＭが同伴されるか、互いに異なる副帯域サイズに対するＣＳＩのためのＲＳとＣＳＩ−ＩＭが定義されて同伴されてもよい。
【０１８３】
さらに、定義された広帯域／部分帯域／副帯域単位のＣＳＩ報告を考慮するとき、ＣＳＩ報告に対する周波数粒度もＣＳＩ−ＲＳ、ＣＳＩ−ＩＭと独立して設定されてもよい。また、互いに異なる粒度の組み合わせも可能である。例えば、広帯域ＣＳＩ−ＲＳと部分帯域ＣＳＩ−ＩＭを用いて副帯域ＣＳＩ報告を指示することが可能である。
【０１８４】
上述したＣＳＩ−ＲＳ、ＣＳＩ−ＩＭ、ＣＳＩ報告に対する周波数粒度を設定するとき、ＴＤＤの場合、送受信端のＲＦの相当部分が共有されて具現されるのが一般であるため、広帯域ＣＳＩ構成及び／又は部分帯域ＣＳＩ構成は、常に同様に設定される規則を作成することも可能である。
【０１８５】
上述した「部分帯域ＲＳ、広帯域ＣＳＩ」の場合、広帯域ＣＳＩは、当該部分帯域に対するＣＳＩ(すなわち、部分帯域ＲＳが送信される全領域)を意味する。
【０１８６】
換言すれば、部分帯域ＣＳＩ報告を行うとき、ＣＳＩ報告設定に別途の部分帯域の構成情報を含まず、対象ＮＺＰ(ｎｏｎ−ｚｅｒｏ ｐｏｗｅｒ)ＣＳＩ−ＲＳの帯域設定を同様に従ってもよい。例えば、端末にリソース設定１(帯域幅部分１と共に)に連結されたＣＳＩ報告設定１とリソース設定２(帯域幅部分２と共に)に連結されたＣＳＩ報告設定２が用いられるとき、それぞれ帯域幅部分１と帯域幅部分２に対するＣＳＩを計算／報告することができる。この場合、基地局が計算しようとする帯域幅部分に該当するＣＳＩ報告設定を端末に動的に指示することができる。
【０１８７】
１つのＣＳＩ報告設定に対して、複数の帯域幅部分に対するリソースが設定されてもよい。例えば、リソース設定１(帯域幅部分１と共に)とリソース設定２(帯域幅部分２と共に)が１つのＣＳＩ報告設定に含まれてもよい。この場合、ＣＳＩ報告設定に対して複数の部分帯域に対するＣＳＩを同時に計算／報告することができる。又は、基地局が特定のリソースを動的に端末に指示して、特定の帯域幅部分に対するＣＳＩを計算／報告するように設定してもよい。
【０１８８】
このとき、副帯域ＣＳＩはＲＳが定義される部分帯域或いは広帯域内に複数の副帯域を定義した後、各副帯域に対するＣＳＩを計算及び報告する方式である。例えば、ｅＭＢＢ部分帯域が定義されて特定の端末が当該部分帯域／サービスを用いるように設定されたとき、ｅＭＢＢ部分帯域内に複数の副帯域が定義され、端末は当該副帯域単位でＣＳＩを計算及び報告する方式を意味してもよい。
【０１８９】
図５は、システム帯域幅、部分帯域及び副帯域の関係を示す。
【０１９０】
以下のようなＣＳＩステージとして、１つの２ＣＳＩステージのマルチ−ステージＣＳＩが考慮されてもよい。
【０１９１】
ステージ１．デジタルビーム選択：１）異なるプレコーディングの複数の広帯域ＲＳ、ＣＲＩ
【０１９２】
ステージ２．ＣＳＩ取得：４）広帯域ＲＳ、広帯域ＣＳＩ
【０１９３】
或いは、副帯域スケジューリング／ＣＳＩのために、以下のように２ＣＳＩステージを定義してもよい。
【０１９４】
ステージ１．デジタルビーム選択：１）異なるプレコーディングの複数の広帯域ＲＳ、ＣＲＩ
【０１９５】
ステージ２．ＣＳＩ取得：５）広帯域ＲＳ、副帯域ＣＳＩ
【０１９６】
或いは、以下のように、２つ以上の目的が１つのＣＳＩステージに定義されてもよい。
【０１９７】
ステージ１．ビーム取得及びＣＳＩ取得：３）異なるプレコーディングの複数の広帯域ＲＳ、ＣＲＩを含む副帯域ＣＳＩ
【０１９８】
ステージ２．ＣＳＩ取得：５）広帯域ＲＳ、副帯域ＣＳＩ
【０１９９】
或いは、１つのステージが複数のサブフレームにかけて定義されてもよい。
【０２００】
ステージ１．ビーム取得及びＣＳＩ取得：５）広帯域ＲＳ、副帯域ＣＳＩ(異なる時点に異なるようにビームフォーミングされたＲＳと共に複数のサブフレームから送信)
【０２０１】
ステージ２．ＣＳＩ取得：５）広帯域ＲＳ、副帯域ＣＳＩ
【０２０２】
この例示のように、端末は、ステージによるＲＳ特性及びフィードバック動作が同様に定義されることも可能である。
【０２０３】
或いは、副帯域スケジューリングの後、端末がスケジューリングされた副帯域で送信し続ける部分帯域制限を用いる場合、以下のように定義されてもよい。
【０２０４】
ステージ１．ビーム取得及びＣＳＩ取得：１）異なるプレコーディングの複数の広帯域ＲＳ、ＣＲＩ
【０２０５】
ステージ２．ＣＳＩトラッキング：６）部分帯域ＲＳ、広帯域ＣＳＩ
【０２０６】
或いは、上述した方式(副帯域ＣＳＩを用いた部分帯域制限)を用いるとき、３ＣＳＩステージを定義してもよい。
【０２０７】
ステージ１．ビーム取得及びＣＳＩ取得：１）異なるプレコーディングの複数の広帯域ＲＳ、ＣＲＩ
【０２０８】
ステージ２．ＣＳＩ取得：５）広帯域ＲＳ、副帯域ＣＳＩ
【０２０９】
ステージ３．ＣＳＩトラッキング：６）部分帯域ＲＳ、広帯域ＣＳＩ
【０２１０】
或いは、サービス毎に専用部分帯域を用いて、広帯域ＲＳを通じた部分帯域ＣＳＩを用いてサービス／部分帯域を選択しようとするとき、以下のように３ＣＳＩステージを定義してもよい。
【０２１１】
ステージ１．デジタルビーム選択：１）異なるプレコーディングの複数の広帯域ＲＳ、ＣＲＩ
【０２１２】
ステージ２．部分帯域選択：８）広帯域ＲＳ、部分帯域ＣＳＩ
【０２１３】
ステージ３．ＣＳＩトラッキング：６）部分帯域ＲＳ、広帯域ＣＳＩ
【０２１４】
或いは、アナログビームの選択をマルチ−ステージＣＳＩプロセスに含ませてもよい。
【０２１５】
ステージ１．アナログビーム選択：９）複数のアナログビーム、ＢＳＩ
【０２１６】
ステージ２．デジタルビーム選択：１）異なるプレコーディングの複数の広帯域ＲＳ、ＣＲＩ
【０２１７】
ステージ３．ＣＳＩトラッキング：５）広帯域ＲＳ、副帯域ＣＳＩ
【０２１８】
３．２ ＣＳＩステージのためのＤＣＩシグナリング
【０２１９】
各ＣＳＩステージの動作(すなわち、ＲＳ送信指示及び非周期的ＣＳＩ要請)のために、「ＣＳＩステージトリガ」が定義されて端末に送信されてもよい。例えば、上述したサービス別に専用部分帯域のための３ＣＳＩステージが定義されたとき、ＤＣＩに２ビットＣＳＩステージトリガが送信され、各状態毎に以下のような状態が定義されてもよい。
【０２２０】
【表１０】
2019532544.tif 000030
【０２２１】
このために、以下のような内容がＤＣＩ含まれて基地局から端末に送信されてもよい。
【０２２２】
１．複数のＲＳ指示
【０２２３】
Ａ．ビットマップ：ビットマップの各ビートに対して該当するＲＳ集合を指定して、基地局は送信するＲＳ集合に該当するビットを１と設定して送信してもよい。端末は該当ビットマップを読み込み、１と指定された各ビットに対応するＲＳを測定することができる。
【０２２４】
Ｂ．ＲＳ数指示：
【０２２５】
ＲＲＣシグナリングのような上位層シグナリングで複数のＲＳパターンを端末に設定して、各ＲＳパターンにインデックスを付与する。ＤＣＩを介してＲＳ数を端末にシグナリングし、端末は最小のインデックス番号(例えば、１)から当該ＲＳ数だけのＲＳリソースを用いてＣＳＩを測定することができる。
【０２２６】
Ｃ．複数の／単一のＲＳ指示のみシグナリング：
【０２２７】
基地局は、ＲＲＣシグナリングのような上位層シグナリングで複数のＲＳパターンを端末に設定して、複数の／単一のＲＳ指示子で当該時点に設定されたＲＳの全部、又は基地局から設定された１つを使用するか否かを知らせることができる。当該ＲＳは、他のＤＣＩコンテンツで端末に設定してもよく、或いはデータ送信のためのビームインデックス又はこれに該当するＲＳを用いてＣＳＩを測定してもよい。
【０２２８】
２．ＣＳＩ指示のためのＲＳ
【０２２９】
Ａ．ビットマップ：
【０２３０】
ビットマップの各ビットに対して該当するＲＳ集合を指定して、基地局は送信するＲＳ集合に該当するビットを１と設定して送信してもよい。端末は、当該ビットを読み込み、１と指定された各ビットに該当するＲＳを測定することができる。
【０２３１】
Ｂ．ＲＳインデックス指示： 
【０２３２】
基地局はＲＲＣシグナリングのような上位層シグナリングで複数のＲＳパターンを端末に設定して、各ＲＳパターンにインデックスを付与する。基地局はＤＣＩを介してＲＳインデックスを端末にシグナリングして、端末は当該インデックスに該当するＲＳを用いてＣＳＩを測定することができる。
【０２３３】
Ｃ．複数の／単一のＲＳ指示のみシグナリング：
【０２３４】
基地局は、ＲＲＣシグナリングのような上位層シグナリングで複数のＲＳパターンを端末に設定して、複数の／単一のＲＳ指示子で当該時点に設定されたＲＳの全部、又は基地局から設定された１つを使用したか否かを知らせることができる。当該ＲＳ設定は、他のＤＣＩコンテンツで端末に設定してもよく、又はデータ送信のためのビームインデックス或いはこれに該当するＲＳを用いてＣＳＩを測定してもよい。
【０２３５】
３．ＲＳ送信のためのＲＢ(狭帯域ＲＳが用いられる場合)
【０２３６】
Ａ．開始ＲＢ − 終了ＲＢ：
【０２３７】
基地局は、各ＲＢに対してインデックスを付与して、ＲＳが始まるＲＢインデックス及びＲＳが終了するＲＢ又はＲＢ長を端末に知らせることができる。基地局はＲＢインデックスを直接知らせてもよく、或いは開始ＲＢ−終了ＲＢ対の集合のそれぞれにインデックスを付与して、当該インデックスを端末に知らせてもよい。
【０２３８】
Ｂ．ＲＢビットマップ：
【０２３９】
ビットマップの各ビットに対して該当するＲＢを指定して、基地局はＲＳが送信されるＲＢに該当するビットを１と設定して送信してもよい。端末は、当該ビットマップを読み込み、１と指定された各ビットに該当するＲＢでＲＳを測定することができる。このとき、ＲＢの代わりに狭帯域が指定されてもよい。
【０２４０】
Ｃ．狭帯域インデックス：基地局は狭帯域のそれぞれにインデックスを付与して、ＲＳが送信される狭帯域に対するインデックスを端末に知らせてもよい。
【０２４１】
４．ＲＳ送信機会
【０２４２】
Ａ．当該ＤＣＩの受信時点を基準として、上述した１〜３の方式で指定されたＲＳがどのタイミングに送信されるかを端末に知らせることができる。
【０２４３】
Ｂ．特に、同一のリソース設定を有するＲＳが複数のサブフレームに送信されることを知らせることができる。これは上述したビーム取得及びＣＳＩ取得：５）広帯域ＲＳ、副帯域ＣＳＩ(異なる時点に異なるようにビームフォーミングされたＲＳと共に複数のサブフレームから送信)ステージのような状況で用いることができるが、これはＦＤ−ＭＩＭＯのクラスＢのように、基地局のＴＸＵ数よりも多いポートを端末に見せる状況に用いられるか、又は複数のアナログビームに対するＲＳを端末に見せようとする状況に用いられる。
【０２４４】
このとき、複数のＣＳＩ−ＲＳに対するＣＳＩステージトリガでＣＳＩ−ＲＳの送信タイミングｍは、以下のように定義されてもよい。
【０２４５】
− 固定されたタイミングｍが予め定義されてもよい。
【０２４６】
− 固定されたタイミングｍがＣＳＩプロセス、ステージ設定、又はＲＳ設定に含まれてもよい。
【０２４７】
− ｍの範囲が予め決定されてもよい。ＣＳＩステージトリガによって当該範囲内のｍ値を端末に指定してもよい。
【０２４８】
− ｍの範囲がＣＳＩプロセス、ステージ設定、又はＲＳ設定に含まれてもよい。ＣＳＩステージトリガによって当該範囲内のｍ値を端末に指定してもよい。
【０２４９】
ｍ値の意味は以下のようであってもよい。
【０２５０】
− ｍはＣＳＩステージトリガからＡ−ＣＳＩ−ＲＳまでの間隔(又は、距離)。これを図６に示す。
【０２５１】
複数のＡ−ＣＳＩ−ＲＳが送信される場合、ｍ値の意味は以下のようであってもよい。
【０２５２】
− ｍはＣＳＩステージトリガから１番目のＡ−ＣＳＩ−ＲＳまでの間隔(又は、距離)。これを図７に示す。
【０２５３】
特に、１番目のＡ−ＣＳＩ−ＲＳが当該指示を含むＤＣＩと同一のサブフレームから送信されてもよいが、これは固定された値ｍ＝０と予め定義される場合と同様である。図８は、ｍ＝０の場合を示す。
【０２５４】
− ｍはＣＳＩステージトリガから最後のＡ−ＣＳＩ−ＲＳまでの間隔(又は、距離)。これを図９に示す。
【０２５５】
このように、Ａ−ＣＳＩ−ＲＳがＣＳＩステージトリガと同一のサブフレームで送信されない場合、全Ｍ個のＡ−ＣＳＩ−ＲＳタイミングのうちｉ番目は、ｍ／Ｍ＊ｉサブフレーム、ｉ＝１, ２, ３, ...であり得る。
【０２５６】
特に、互いに異なる用途／性質を有するＡ−ＣＳＩ−ＲＳ(例え、チャンネル測定のためのＡ−ＣＳＩ−ＲＳ、干渉測定のためのＡ−ＣＳＩ−ＲＳ)が１つのＣＳＩに用いられ、非周期的ＣＳＩ報告の時点を関連ＲＳタイミングに対して指定する場合、ＣＳＩの計算のための時間確保のために、Ａ−ＣＳＩ−ＲＳの送信時点は互いに異なるＡ−ＣＳＩ−ＲＳのうち最後に送信されるＲＳのタイミングに指定する方式が有利である。
【０２５７】
又は、Ａ−ＣＳＩ−ＲＳがＣＳＩステージトリガと同一のサブフレームで送信される場合、全Ｍ個のＡ−ＣＳＩ−ＲＳタイミングのうちｉ番目は、ｍ／(Ｍ−１)＊ｉサブフレーム、ｉ＝０, １, ２, ３, ...であり得る。図１０は、ＣＳＩステージトリガとＡ−ＣＳＩ−ＲＳが同一のサブフレームで送信される例を示す。このとき、ｍ＜０と定義されるが、この場合、予め送信されたＡ−ＣＳＩ−ＲＳを当該Ａ−ＣＳＩ−ＲＳの送信後に、ＣＳＩステージトリガによって端末に知らせてもよい。
【０２５８】
また、複数のＡ−ＣＳＩ−ＲＳが送信される場合、Ａ−ＣＳＩ−ＲＳの送信タイミング区間ｐは、以下のように知らせてもよい。
【０２５９】
− ｍはＣＳＩステージトリガから１番目のＣＳＩ−ＲＳまでを意味する場合、別途の設定なくｐ＝ｍであり得る。
【０２６０】
− 固定されたタイミングｐが予め定義されてもよい。
【０２６１】
− 固定されたタイミングｐがＣＳＩプロセス、ステージ設定、又はＲＳ設定に含まれてもよい。
【０２６２】
− ｐの範囲が予め決定されてもよい。ＣＳＩステージトリガによって当該範囲内のｐ値を端末に指定してもよい。
【０２６３】
− ｐの範囲がＣＳＩプロセス、ステージ設定、又はＲＳ設定に含まれてもよい。ＣＳＩステージトリガによって当該範囲内のｐ値を端末に指定してもよい。
【０２６４】
特に、ＣＳＩ−ＲＳが連続して送信される場合、固定された値ｐ＝１と予め定義される場合と同様である。
【０２６５】
複数のＡ−ＣＳＩ−ＲＳが送信される場合、ｐ値の意味は以下のようであってもよい。
【０２６６】
− 各Ａ−ＣＳＩ−ＲＳ間の間隔サブフレーム数
【０２６７】
図１１は、各Ａ−ＣＳＩ−ＲＳ間の間隔を指示するｐを示す。
【０２６８】
− 最初のＡ−ＣＳＩ−ＲＳと最後のＡ−ＣＳＩ−ＲＳとの間隔サブフレーム
【０２６９】
図１２は、最初のＡ−ＣＳＩ−ＲＳと最後のＡ−ＣＳＩ−ＲＳとの間隔を指示するｐを示す。
【０２７０】
この場合は、全Ｍ個のＡ−ＣＳＩ−ＲＳタイミングのうちｉ番目は(１番目のＡ−ＣＳＩ−ＲＳ送信タイミング)＋ｐ／(Ｍ−１)＊(ｉ−１)(ｉ＝１, ２, ...)サブフレームで送信されてもよい。
【０２７１】
− ＣＳＩステージトリガと最後のＡ−ＣＳＩ−ＲＳとの間隔サブフレーム
【０２７２】
図１３は、ＣＳＩステージトリガと最後のＡ−ＣＳＩ−ＲＳとの間隔を指示するｐを示す。この場合は、全Ｍ個のＡ−ＣＳＩ−ＲＳタイミングのうちｉ番目はｐ／Ｍ＊ｉ(ｉ＝１, ２, ...)サブフレームで送信されてもよい。
【０２７３】
上述した方式は、互いに異なる用途／性質を有するＡ−ＣＳＩ−ＲＳ(例え、チャンネル測定のためのＡ−ＣＳＩ−ＲＳ、干渉測定のためのＡ−ＣＳＩ−ＲＳ)が１つのＣＳＩ導出に用いられ、非周期的ＣＳＩ報告の時点を関連ＲＳタイミングに対して指定する場合、各Ａ−ＣＳＩ−ＲＳに対する送信時点の指定方式は、上述したＲＳタイミングの指示方式のうち互いに異なる方式を用いてもよい。特に、２つのＡ−ＣＳＩ−ＲＳが用いられるとき、２つのうち早いＲＳはＣＳＩステージトリガ時点に送信してｍ＝０と理解して、２つのうち遅いＲＳはＡ−ＣＳＩ−ＲＳに対するタイミングのみを送信することができる。
【０２７４】
５．ＣＳＩフィードバックのために用いられるＵＬリソース
【０２７５】
Ａ．ＰＵＳＣＨリソース割り当て
【０２７６】
ｉ．スケジューリング−無しのリソース指示(例え、ＰＵＣＣＨ)も考慮され得る。
【０２７７】
Ｂ．報告タイミング指示
【０２７８】
当該ＤＣＩの受信時点を基準として、どのタイミングにＣＳＩ報告のためのＵＬリソースが指定されるのかを端末に知らせてもよい。
【０２７９】
このように、１つ又は複数のＣＳＩ−ＲＳに対するＡ−ＣＳＩ−ＲＳが送信され、当該ＲＳに対するＣＳＩステージトリガが基地局から端末に送信及び受信された場合、端末が報告する当該ＣＳＩステージトリガに対する非周期的ＣＳＩのＣＳＩフィードバックタイミングｋが、以下のような方法で指定されてもよい。
【０２８０】
− 固定されたタイミングｋが予め定義されてもよい。
【０２８１】
− 固定されたタイミングｋがＣＳＩプロセス、ステージ設定、又はＲＳ設定に含まれてもよい。
【０２８２】
− ｋの範囲が予め決定されてもよい。ＣＳＩステージトリガによって当該範囲内のｋ値を端末に指定してもよい。
【０２８３】
− ｋの範囲がＣＳＩプロセス、ステージ設定、又はＲＳ設定に含まれてもよい。ＣＳＩステージトリガによって当該範囲内のｋ値を端末に指定してもよい。
【０２８４】
ｋ値の意味は以下のようであってもよい。
【０２８５】
− ｋ値はＡ−ＣＳＩ−ＲＳからＣＳＩフィードバック時点までの間隔(又は、距離)。これを図１４に示す。
【０２８６】
非周期的ＣＳＩの計算はＡ−ＣＳＩ−ＲＳを受信した後に行われるため、非周期的ＣＳＩの計算のための時間確保に適合する方式である。
【０２８７】
− ｋ値はＣＳＩステージトリガからＣＳＩフィードバック時点までの間隔(又は、距離)。これを図１５に示す。
【０２８８】
複数のＡ−ＣＳＩ−ＲＳが送信される場合、ｋ値の意味は以下のようであってもよい。
【０２８９】
− ｋ値は１番目のＡ−ＣＳＩ−ＲＳからの間隔(又は、距離)。これを図１６に示す。
【０２９０】
非周期的ＣＳＩ計算のための特定のＡ−ＣＳＩ−ＲＳが複数の時点に送信されるが、当該複数のＡ−ＣＳＩ−ＲＳの送信が開始しない時点にＣＳＩステージトリガを受信した場合には、ＣＳＩフィードバック時点が最初のＡ−ＣＳＩ−ＲＳの送信時点からのタイミングを指示する方式が有効である。
【０２９１】
− ｋ値は最後のＡ−ＣＳＩ−ＲＳからＣＳＩフィードバック時点までの間隔(又は、距離)。これを図１７に示す。
【０２９２】
特に、互いに異なる用途／性質を有するＡ−ＣＳＩ−ＲＳ(例え、チャンネル測定のためのＡ−ＣＳＩ−ＲＳ、干渉測定のためのＡ−ＣＳＩ−ＲＳ)が１つのＣＳＩに用いられ、非周期的ＣＳＩ報告の時点を関連ＲＳタイミングに対して指定する場合、ＣＳＩの計算のための時間確保のためにＡ−ＣＳＩ−ＲＳの送信時点は、互いに異なるＡ−ＣＳＩ−ＲＳのうち最後に送信されるＲＳのタイミングに指定する方式が有利である。
【０２９３】
換言すれば、複数の非周期的ＲＳが非周期的ＣＳＩの計算に用いられる場合(例え、チャンネル測定のためのＡ−ＣＳＩ−ＲＳ及び干渉測定のための非周期的ＣＳＩ−ＩＭ(ｉｎｔｅｒｆｅｒｅｎｃｅ ｍｅａｓｕｒｅｍｅｎｔ)が上述した方式の適宜な例示であって、この場合、ｋ値は複数のＲＳのうち最も遅く送信されるＲＳからの距離を指定する方式が適合する。これは互いに異なるＴＲＰ(ｔｒａｎｓｍｉｓｓｉｏｎ ａｎｄ ｒｅｃｅｐｔｉｏｎ ｐｏｉｎｔ)に動的に整列され難いため、セル間干渉測定のためのＮＺＰ−ＣＳＩ−ＲＳ送信時点とチャンネル測定のためのＡ−ＣＳＩ−ＲＳの送信時点とはずれることがある。特に、互いに異なるＵＬ／ＤＬ設定を用いる２つのＴＲＰの間に目立つ。
【０２９４】
具体的には、非周期的ＣＳＩ報告をトリガするＣＳＩステージトリガ(同様に、非周期的ＣＳＩトリガ)を端末が受信した時点をｎとして、時点ｎを基準として当該ＣＳＩの計算に用いられる(チャンネル測定のためのＮＺＰ−ＣＳＩ−ＲＳと干渉測定のためのＣＳＩ−ＩＭ(例え、ＮＺＰ−ＣＳＩ−ＲＳとＺＰ−ＣＳＩ−ＲＳ)を含む)ＣＳＩ−ＲＳのうちｉ番目のＲＳの送信時点をｍｉとするとき、非周期的ＣＳＩ報告時点はｎ＋ｍａｘ(ｍｉ, ０)＋ｋとなり得る。ｍａｘ(ｍｉ, ０)において、「０」は後述する「ｋ値はＣＳＩステージトリガからの距離」を含む例示であって、これはＡ−ＣＳＩ−ＲＳ(又は、Ａ−ＣＳＩ−ＩＭ)がＣＳＩステージトリガ時点以前に送信される場合、当該シグナリングの受信時点を基準としてＣＳＩ計算時間を指示しようとする状況に用いてもよい。
【０２９５】
上述した各ｍｉは、互いに異なるＡ−ＣＳＩ−ＲＳ送信方式(例え、ワン−ショットＡ−ＣＳＩ−ＲＳ又は複数のＡ−ＣＳＩ−ＲＳ)の場合、互いに異なって理解されてもよい。例えば、ワン−ショットＡ−ＣＳＩ−ＲＳと複数のＡ−ＣＳＩ−ＲＳ送信の場合、ワン−ショットＡ−ＣＳＩ−ＲＳは当該Ａ−ＣＳＩ−ＲＳからの間隔(又は、距離)を、複数のＡ−ＣＳＩ−ＲＳはＡ−ＣＳＩ−ＲＳの最後のＲＳ送信時点からの間隔(又は、距離)を意味してもよい。特に、複数のＡ−ＣＳＩ−ＲＳ送信が開始する前に、上述したＣＳＩステージトリガを端末が受信した場合、当該ｍｉが１番目のＲＳからのタイミングを、複数のＡ−ＣＳＩ−ＲＳ送信が終了した後に、上述したＣＳＩステージトリガを端末が受信した場合は、当該ｍｉが最後のＲＳからのタイミングを意味してもよい。
【０２９６】
− ｋ値はＣＳＩステージトリガからＣＳＩフィードバック時点までの間隔(又は、距離)。これを図１８に示す。
【０２９７】
ｉｉ．端末は１つのＲＳに対する測定結果が大き過ぎる状況において、当該測定結果を複数のサブフレームに分けて報告してもよい。
【０２９８】
このとき、複数のＡ−ＣＳＩ−ＲＳに対するＣＳＩステージトリガにおいて非周期的ＣＳＩの報告タイミング区間ｑは、以下のように知らせてもよい。
【０２９９】
− 固定されたタイミングｑが予め定義されてもよい。
【０３００】
− 固定されたタイミングｑがＣＳＩプロセス、ステージ設定、又はＲＳ設定に含まれてもよい。
【０３０１】
− ｍの範囲が予め決定されてもよい。ＣＳＩステージトリガによって当該範囲内のｑ値を端末に指定してもよい。
【０３０２】
− ｍの範囲がＣＳＩプロセス、ステージ設定、又はＲＳ設定に含まれてもよい。ＣＳＩステージトリガによって当該範囲内のｑ値を端末に指定してもよい。
【０３０３】
ｑ値は、以下のような意味であってもよい。
【０３０４】
− ＣＳＩステージトリガから非周期的ＣＳＩ報告の間の間隔(又は、距離)。これを図１９に示す。
【０３０５】
− 最初の非周期的ＣＳＩ報告と最終の非周期的ＣＳＩ報告との間隔(又は、距離)。これを図２０に示す。
【０３０６】
− ＣＳＩステージトリガと最後の非周期的ＣＳＩ報告との間隔(又は、距離)。これを図２１に示す。
【０３０７】
又は、複数のサブフレームでＲＳが送信される動作が当該ＤＣＩと指定されたとき、端末は当該ＲＳに対するＣＳＩをそれぞれ報告してもよい。この場合、ｑ＝ｐと設定されてもよい。
【０３０８】
ｉｉｉ．このとき、ＵＬリソース割り当ては、各報告タイミングに対して同様に適用されてもよい。
【０３０９】
すなわち、端末は、上述したＤＣＩに指定されるＲＳを測定してＣＳＩを計算し、ＤＣＩに指定されたＵＬリソース(時間、周波数)によって当該ＣＳＩを報告してもよい。
【０３１０】
本発明の別の実施例によれば、ＣＳＩ報告無しにＣＳＩ−ＲＳ送信のみを含むＣＳＩステージも定義できる。例えば、ＣＳＩ報告の不要なＣＳＩ−ＲＳ送信、例えば、端末−側ビーム調整のためのＣＳＩ−ＲＳが挙げられる。この場合、端末は、当該ＣＳＩステージを用いて、ＣＲＩのようなビーム管理関連報告を行う必要がなく、基地局が送信するＣＳＩ−ＲＳを用いて、端末自身の送信及び／又は受信ビームを設定することができる。また、他の時点に計算されるＣＳＩの計算に用いるために別途のＲＳ送信を設定するためのＣＳＩステージが定義されてもよい。例えば、その後、他の時点に送信されるＣＳＩ−ＩＭ、例えば、他のＴＲＰで送信されることから自己セルに送信されるＣＳＩ−ＲＳ送信タイミングと整列し難いＴＲＰ間干渉測定のためのＮＺＰ ＣＳＩ−ＲＳベースＩＭＲを用いたＣＳＩを計算／報告するために、ＴＲＰ間干渉測定のためのＮＺＰ ＣＳＩ−ＲＳベースＩＭＲ−ＣＳＩ報告を含むＣＳＩステージとは別途として予めＣＳＩ−ＲＳのみを送信したり、逆に、特定の時点に送信される他のＴＲＰからのＮＺＰ ＣＳＩ−ＲＳベースＩＭＲを、その後の他の時点に送信されるＮＺＰ ＣＳＩ−ＲＳと共に用いるＣＳＩを計算するために、ＮＺＰ ＣＳＩ−ＲＳ−ＣＳＩ報告を含むＣＳＩステージとは別途としてＴＲＰ間干渉測定のためのＮＺＰ ＣＳＩ−ＲＳベースＩＭＲの送信を端末に知らせてもよい。
【０３１１】
ＣＳＩ報告には関係なくＲＳが送信されるＣＳＩステージの場合、当該ＲＳは、その後に使用される作業(例え、ＣＳＩ計算)に用いるために、当該ＲＳ測定結果をバッファー(ｂｕｆｆｅｒ)するように端末に設定してもよい。１つの方式として、ＣＳＩ報告のセットが含まれていないＣＳＩステージの場合は、当該ＲＳ測定の結果を次の作業に用いるまでに自動にバッファーしてもよい。この場合、当該ＲＳは、次のＣＳＩステージ報告のときに用いるか、別途の「他のＣＳＩステージのためのＲＳのための設定」を指示する設定が含まれたＣＳＩステージ報告のときに用いてもよい。
【０３１２】
又は／及び、ＣＳＩ報告のセットのないＣＳＩステージに含まれたＲＳを他のＣＳＩステージに含まれたＣＳＩ報告に用いる場合、ＣＳＩ報告の不要な端末ビーム調整のような方式と区分するために、当該ＣＳＩステージは、「ＣＳＩステージ間報告」のように設定されてもよく、これは当該ＣＳＩステージ報告のセットに含まれてもよい。上述した動作は、特定のＣＳＩ報告開始時点(例えば、ＲＳ測定時点又はＣＳＩ計算開始時点)に、以前の時点に送信されてＣＳＩ報告に用いられていないＲＳが存在する場合(又は、後続するＲＳ有効区間が定義され、且つ満了していない場合)、当該ＲＳをＣＳＩステージに追加して用いることと理解されてもよい。当該ＲＳの用途(例え、ＣＳＩ−ＲＳ又はＣＳＩ−ＩＭ)は、リソースセット、特に「ＣＳＩステージ間報告」と共に設定されてもよい。
【０３１３】
また、他のＣＳＩステージによって送信されたＲＳ測定結果をＣＳＩ計算に含ませるために、当該ＣＳＩステージはＲＳセットを含まなくてもよく、或いはこのような動作を明確にするために「ＣＳＩステージＲＳ間報告」が設定されてもよく、これは当該ＣＳＩステージのＲＳセットに含まれてもよい。この場合、予め送信された報告のないＲＳが存在する場合、当該ＲＳを含んでＣＳＩ報告を行い、存在しない場合は、自己ＣＳＩステージに含まれたＲＳのみを用いてＣＳＩ報告を行うか、又は当該報告を省略してもよい。仮にＣＳＩステージ間の従属性が予め送信されたＲＳ送信のみと限定されない場合、当該ＣＳＩステージのＣＳＩ報告は、その後に他のＣＳＩステージからの追加ＲＳが送信される場合、当該ＲＳの測定を用いて行われてもよい。
【０３１４】
上述のような場合、「ＲＳ有効区間」が定義されて、ＲＳ測定結果をバッファーして(他のＣＳＩステージの)ＣＳＩ報告に使用可能な時間を端末に知らせてもよく、これは予め定義されているか、又は当該ＲＳ設定／ＣＳＩステージ設定に含まれてもよい。仮にＲＳ有効区間が満了する場合、以前にＲＳ測定結果がなかったこととみなしてもよい。また、仮に当該ＣＳＩステージが「ＣＳＩステージ間ＲＳ」設定を含む場合、当該ＣＳＩステージに含まれたＲＳのみを含むＣＳＩを報告するか、当該ＣＳＩ報告を省略してもよい。特に、ＲＳ目的(例え、ビーム管理、ＣＳＩ報告)によって、その値又は設定可能な値の範囲の定義が互いに異なってもよい。
【０３１５】
上述したように、ＣＳＩステージ間従属性が存在する場合、上述したＣＳＩ報告タイミングは、最後に送信されるＲＳに該当するＣＳＩステージを基準として定義してもよい。例えば、最後に送信されたＲＳ送信／受信タイミングを基準としてＣＳＩ報告タイミングが定義されてもよい。また、他のＣＳＩステージで送信されるＲＳを実際のＣＳＩ計算に用いるＣＳＩステージにおいて別途に設定する代わりに、当該ＲＳが送信されるタイミングに送信されるＤＣＩでトリガされるＣＳＩステージは、予め送信されたＲＳを含んでＣＳＩを計算することとみなしてもよい。すなわち、仮にＣＳＩステージ#１がＣＳＩ報告無しにＲＳセットのみを含み、ＣＳＩステージ#２が別途のＲＳセット無しに報告セットのみを含むとき、ＣＳＩステージ#１で指定したＲＳ送信機会にＲＳが送信されると同時に、当該スロットでＣＳＩステージ#２をトリガするＤＣＩが送信されてもよく、この場合、ＣＳＩステージ#２のＣＳＩ報告は、当該ＤＣＩが送信されたタイミングと同時に送信されたＲＳを用いてＣＳＩを計算／報告してもよい。この場合、ＣＳＩステージ#１をトリガするＤＣＩはＤＬ−関連ＤＣＩであってもよい。また、ＣＳＩステージ#１で指定する「ＲＳ送信機会」は同時に当該ＲＳが使用されるＣＳＩステージ(のＣＳＩ報告)を指示するＤＣＩの送信機会を意味してもよい。
【０３１６】
本明細書において言及するＣＳＩステージは、ＮＲ ＭＩＭＯで論議している「測定セット」と同様な方式と理解されてもよい。例えば、別途に設定された「リソースセット」と「報告セット」を「測定セット」においてリンク(ｌｉｎｋ)することと設定される１つのＲＳ−報告集合(ｒｅｐｏｒｔ ｓｅｔ)が本明細書のＣＳＩステージと類似する概念を称することと理解してもよい。さらに、より良好な柔軟性(ｆｌｅｘｉｂｉｌｉｔｙ)のためにリソースセットと報告セットとの間のリンクはＭＡＣシグナリングによって行うことも可能である。
【０３１７】
ＲＳリソース指示フィールドをＤＣＩ内に定義して、ＣＳＩステージ指示によって当該フィールドの解釈が異なってもよい。例えば、全８ビットのＲＳリソース指示フィールドを定義して、ＣＳＩステージトリガ＝０１(すなわち、複数のＲＳモード)の場合、ＲＲＣ設定された全８種類の複数のＲＳ設定のうち、使用するＲＳ設定を指定するビットマップと解釈して、ＣＳＩステージトリガ＝１０(すなわち、単一ＲＳモード)の場合、ＲＲＣ設定された全６４個のＲＳパターン(２ビットは予備される)のうち１つとして解釈して、ＣＳＩステージトリガ＝１１(すなわち、部分帯域ＲＳモード)の場合、全６４個のＲＳパターンのうち１つ及び４つの部分帯域のうち１つを指定することと解釈してもよい。
【０３１８】
ＣＳＩステージトリガの代わりに１ビットのＣＳＩトリガを設定して、各ステージ(すなわち、ＲＳ−フィードバックタイプ対)毎に満了タイマーを設定して、非周期的ＲＳ指示／非周期的ＣＳＩ要請タイミング毎に当該タイマーを超えたか否かによって、どのステージに対するＲＳ測定／フィードバックを行うかを選択することができる。例えば、全２ステージが定義され、ステージＩに対する満了タイマー＝５ｍｓと設定された環境において、特定の時点にステージＩに対する測定／フィードバックを行う場合、ステージＩに対する満了タイマーをリセット(ｒｅｓｅｔ)(例え、タイマー＝５)することができる。その後、満了タイマーが満了するまで(例え、タイマー＝０)、端末に受信されるＣＳＩトリガは全てステージＩＩと解釈されてもよい。その後、満了タイマーが満了した後、１番目に受信されるＣＳＩトリガはステージＩと解釈されてもよい。
【０３１９】
端末が基地局のＣＳＩステージトリガ／ＣＳＩトリガを受信できなかった場合、基地局はどのＵＬリソースにＣＳＩフィードバックが受信されるか／受信されないかを確認して、当該ＣＳＩステージトリガ／ＣＳＩトリガの受信可否を確認することができる。この場合、基地局はＣＳＩステージトリガ／ＣＳＩトリガを所定の時間(例え、４ｍｓ)の間に(特に、上述した満了タイマーを用いるステージをトリガするとき)複数送信せず、端末は所定の時間(例え、４ｍｓ)の間に２つ以上のＣＳＩステージトリガ／ＣＳＩトリガを受信しないことを期待することができる。
【０３２０】
或いは、端末は所定の時間(例え、４ｍｓ)の間に２つ以上のＣＳＩステージトリガ／ＣＳＩトリガを受信する場合、最初のＣＳＩステージトリガ／ＣＳＩトリガに対するフィードバックのみを報告してもよい。
【０３２１】
本明細書において言及するＣＳＩ−ＲＳは、ＣＳＩの計算のために用いられる参照信号であって、これはチャンネル測定のためのＮＺＰ−ＣＳＩ−ＲＳと干渉測定のためのＮＺＰ−ＣＳＩ−ＲＳ又は／及びＺＰ−ＣＳＩ−ＲＳ、すなわちＣＳＩ−ＩＭを含み、また上述のように、ＲＳ設定において互いに異なるＲＳを指定する場合、ＣＳＩ−ＲＳは設定に応じてＣＳＩ計算のために異なる種類のＲＳ(例えば、ＢＲＳ、ＢＲＲＳ、ＲＲＭ−ＲＳ、ＤＭＲＳ)にも置き換えて用いられることは自明である。
【０３２２】
それぞれの情報を独立してＤＣＩに含んで送信する代わりに、「ステージインデックス」をＤＣＩを介して送信するためには、各ステージをＲＲＣ設定のようなＬ３シグナリングによって設定してもよい。この設定は、上述したコンテンツの全部或いは一部を含んでもよい。
【０３２３】
或いは、より良好な柔軟性のために、ＭＡＣのようなＬ２シグナリングが用いられてもよい。このとき、ＭＡＣシグナリングのオーバーヘッドを減らすために、各コンテンツが選択可能な範囲が制限されてもよい。例えば、選択可能なＲＥパターンの候補がＲＲＣと設定され、Ｌ２シグナリングによって、このうち実際に用いるパターンが各ＣＳＩステージに設定されてもよい。
【０３２４】
図２２は、本発明の一実施例による動作を示す。
【０３２５】
図２２は、無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャンネル状態報告方法に関する。この方法は端末によって行われる。
【０３２６】
端末は単一のニューマロロジー(ｎｕｍｅｒｏｌｏｇｙ)で設定された周波数帯域を占める部分帯域に対するＣＳＩ−ＲＳ設定を受信してもよい(Ｓ２２１０)。部分帯域に対するＣＳＩ−ＲＳ設定は、上位層シグナリングによって受信されてもよい。ＣＳＩ−ＲＳ設定に複数の部分帯域に対するＣＳＩ−ＲＳ設定が含まれる場合、複数の部分帯域のそれぞれは互いに異なるニューマロロジーで設定されてもよい。端末は部分帯域に対するＣＳＩ−ＲＳ設定に従って、部分帯域で送信されるＣＳＩ−ＲＳから導出されたＣＳＩ情報を送信してもよい(Ｓ２２２０)。
【０３２７】
部分帯域に対するＣＳＩ−ＲＳ設定は、帯域幅情報又は周波数位置に関する情報を含んでもよい。また、複数の部分帯域のそれぞれは、１つの送信ブロック(ｔｒａｎｓｐｏｒｔ ｂｌｏｃｋ)が送信される周波数帯域であってもよい。複数の部分帯域のうち少なくとも一部は互いに異なる時間分割多重化(ｔｉｍｅ ｄｉｖｉｓｉｏｎ ｍｕｐｌｔｉｐｌｅｘｉｎｇ)が行われてもよい。
【０３２８】
ＣＳＩ−ＲＳ設定に複数の部分帯域に対するＣＳＩ−ＲＳ設定が含まれる場合、複数の部分帯域のうち少なくとも一部は互いに重なってもよい。
【０３２９】
送信されるＣＳＩ情報は複数の部分帯域のそれぞれにおいて独立して導出されたＣＳＩを含んでもよい。
【０３３０】
以上、図２２を参照して、本発明による実施例を簡略に説明したが、図２２に関連する実施例は、上述した実施例のうち少なくとも一部を代案又は追加に含んでもよい。
【０３３１】
図２３は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０３３２】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ)、ＤＳＰｓ(ｄｉｇｉｔａｌ  ｓｉｇｎａｌ  ｐｒｏｃｅｓｓｏｒｓ)、ＤＳＰＤｓ(ｄｉｇｉｔａｌ  ｓｉｇｎａｌ  ｐｒｏｃｅｓｓｉｎｇ  ｄｅｖｉｃｅｓ)、ＰＬＤｓ(ｐｒｏｇｒａｍｍａｂｌｅ  ｌｏｇｉｃ  ｄｅｖｉｃｅｓ)、ＦＰＧＡｓ(ｆｉｅｌｄ  ｐｒｏｇｒａｍｍａｂｌｅ  ｇａｔｅ  ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０３３３】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャンネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ  ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０３３４】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ  ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０３３５】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素(ｅｌｅｍｅｎｔ)の組み合わせによって構成されてもよい。各アンテナから送信された信号は受信装置２０によってそれ以上分解されることはない。当該アンテナに対応して送信された参照信号(ｒｅｆｅｒｅｎｃｅ  ｓｉｇｎａｌ，ＲＳ)は受信装置２０の観点で見たアンテナを定義し、チャンネルが一物理アンテナからの単一(ｓｉｎｇｌｅ)無線チャンネルであるか、或いは当該アンテナを含む複数の物理アンテナ要素(ｅｌｅｍｅｎｔ)からの合成(ｃｏｍｐｏｓｉｔｅ)チャンネルであるかに関係なく、受信装置２０にとって当該アンテナに対するチャンネル推定を可能にする。すなわち、アンテナは、該アンテナ上のシンボルを伝達するチャンネルが同一アンテナ上の他のシンボルが伝達される前記チャンネルから導出されるように定義される。複数のアンテナを用いてデータを送受信する多重入出力(Ｍｕｌｔｉ−Ｉｎｐｕｔ  Ｍｕｌｔｉ−Ｏｕｔｐｕｔ、ＭＩＭＯ)機能を支援する送信機／受信機の場合は２個以上のアンテナに接続されてもよい。
【０３３６】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０３３７】
送信装置及び／又は受信装置は、上述した本発明の実施例のうちの少なくとも１つ又は２つ以上の実施例の組み合わせを実行することができる。
【０３３８】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０３３９】
本発明は、端末、リレー、基地局などのような無線通信装置に利用可能である。
【図１】
2019532544.tif 000031
【図２】
2019532544.tif 000032
【図３】
2019532544.tif 000033
【図４】
2019532544.tif 000034
【図５】
2019532544.tif 000035
【図６】
2019532544.tif 000036
【図７】
2019532544.tif 000037
【図８】
2019532544.tif 000038
【図９】
2019532544.tif 000039
【図１０】
2019532544.tif 000040
【図１１】
2019532544.tif 000041
【図１２】
2019532544.tif 000042
【図１３】
2019532544.tif 000043
【図１４】
2019532544.tif 000044
【図１５】
2019532544.tif 000045
【図１６】
2019532544.tif 000046
【図１７】
2019532544.tif 000047
【図１８】
2019532544.tif 000048
【図１９】
2019532544.tif 000049
【図２０】
2019532544.tif 000050
【図２１】
2019532544.tif 000051
【図２２】
2019532544.tif 000052
【図２３】
2019532544.tif 000053
【手続補正書】
【提出日】平成31年3月12日(2019.3.12)
【手続補正１】
【補正対象書類名】明細書
【補正対象項目名】０３０４
【補正方法】変更
【補正の内容】
【０３０４】
− ＣＳＩフィードバックのタイミングの間の周期。これを図１９に示す。
【手続補正２】
【補正対象書類名】特許請求の範囲
【補正対象項目名】全文
【補正方法】変更
【補正の内容】
【特許請求の範囲】
【請求項１】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)に基づいてチャンネル状態を報告する方法であって、
複数のＣＳＩ−ＲＳ設定を受信するステップであって、前記複数のＣＳＩ−ＲＳ設定のそれぞれはタイミング情報と測定リソース情報を含む、ステップと、
ＣＳＩ報告のトリガ指示を受信するステップと、
前記タイミング情報に基づいた周期で、前記測定リソース情報に基づく前記ＣＳＩ−ＲＳに対する前記トリガ指示に対応するＣＳＩ報告を送信するステップであって、前記測定リソース情報と前記タイミング情報は前記トリガ指示に関連したＣＳＩ設定から選択される、ステップとを含む、方法。
【請求項２】
前記ＣＳＩ報告は、同じ上りリンクリソースで周期的に送信される、請求項１に記載の方法。
【請求項３】
前記ＣＳＩ報告は、物理上りリンク制御チャネルで送信される、請求項１に記載の方法。
【請求項４】
前記ＣＳＩ設定は、単一ニューマロロジー(ｎｕｍｅｒｏｌｏｇｙ)で設定された周波数帯域を占める部分帯域に関連し、帯域幅又は周波数位置についての情報を含む、請求項１に記載の方法。
【請求項５】
前記ＣＳＩ設定は、複数の部分帯域に対する設定を含み、前記複数の部分帯域のそれぞれは、一つの送信ブロックで送信される周波数帯域である、請求項１に記載の方法。
【請求項６】
前記ＣＳＩ設定は、複数の部分帯域に対する設定を含み、前記複数の部分帯域の少なくとも一部は、互いに重なっている、請求項１に記載の方法。
【請求項７】
前記複数の部分帯域の少なくとも一部は時分割多重化される、請求項５に記載の方法。
【請求項８】
前記送信されたＣＳＩ報告は、前記ＣＳＩ報告に関連した前記複数の部分帯域のそれぞれから独立に導出されたＣＳＩを含む、請求項１に記載の方法。
【請求項９】
前記ＣＳＩ報告に関連した部分帯域に関連する前記ＣＳＩ設定は、上位層シグナリングにより受信される、請求項１に記載の方法。
【請求項１０】
無線通信システムにおいて、チャンネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)に基づいてチャンネル状態報告を行う端末であって、
送信機と、受信機と、
前記送信機及び受信機を制御するプロセッサーを含み、
前記プロセッサーは、
複数のＣＳＩ−ＲＳ設定を受信し、前記複数のＣＳＩ−ＲＳ設定のそれぞれはタイミング情報と測定リソース情報を含み、ＣＳＩ報告のトリガ指示を受信し、前記タイミング情報に基づいた周期で、前記測定リソース情報に基づく前記ＣＳＩ−ＲＳに対する前記トリガ指示に対応するＣＳＩ報告を送信し、前記測定リソース情報と前記タイミング情報は前記トリガ指示に関連したＣＳＩ設定から選択される、端末。
【請求項１１】
前記ＣＳＩ報告は、同じ上りリンクリソースで周期的に送信される、請求項１０に記載の端末。
【請求項１２】
前記ＣＳＩ報告は、物理上りリンク制御チャネルで送信される、請求項１０に記載の端末。
【請求項１３】
前記ＣＳＩ設定は、単一ニューマロロジー(ｎｕｍｅｒｏｌｏｇｙ)で設定された周波数帯域を占める部分帯域に関連し、帯域幅又は周波数位置についての情報を含む、請求項１０に記載の端末。
【請求項１４】
前記ＣＳＩ設定は、複数の部分帯域に対する設定を含み、前記複数の部分帯域のそれぞれは、一つの送信ブロックで送信される周波数帯域である、請求項１０に記載の端末。
【請求項１５】
前記ＣＳＩ設定は、複数の部分帯域に対する設定を含み、前記複数の部分帯域の少なくとも一部は、互いに重なっている、請求項１０に記載の端末。
【請求項１６】
前記複数の部分帯域の少なくとも一部は時分割多重化される、請求項１５に記載の端末。
【請求項１７】
前記送信されたＣＳＩ報告は、前記ＣＳＩ報告に関連した前記複数の部分帯域のそれぞれから独立に導出されたＣＳＩを含む、請求項１０に記載の端末。
【請求項１８】
前記ＣＳＩ報告に関連した部分帯域に関連する前記ＣＳＩ設定は、上位層シグナリングにより受信される、請求項１０に記載の端末。
【国際調査報告】
2019532544.tif 000054
2019532544.tif 000055
2019532544.tif 000056
2019532544.tif 000057